(57)【要約】【課題】液体噴射装置に液体を注入する際に、注ぎやすく、こぼれにくい液体収容容器を提供する。【解決手段】液体収容容器１０１は、液体を収容する液体収容容器であって、液体を収容する容器１５と、容器１５の容器口部１７に装着され、容器口部１７と連通する液体の出口部３０１を設けた蓋体２０１と、を備えている。【選択図】図１Ｅ
2019112084.tif 000002
【特許請求の範囲】
【請求項１】
液体を収容する液体収容容器であって、
前記液体を収容する容器と、
前記容器の容器口部に装着され、前記容器口部と連通する前記液体の出口部を設けた蓋体と、を備えていることを特徴とする液体収容容器。
【請求項２】
請求項１に記載の液体収容容器であって、
前記蓋体の前記出口部を覆うオーバーキャップを備えていることを特徴とする液体収容容器。
【発明の詳細な説明】
【技術分野】
【０００１】
本発明は、液体収容容器に関する。
【背景技術】
【０００２】
従来、液体噴射ヘッド及び液体（インク）を収容した複数の液体収容体（カートリッジ）を搭載した装着部材（キャリッジ）が、被記録部材上を往復運動して液体収容体に収容された液体を被記録部材に噴射することにより記録（印刷）する液体噴射装置が知られている。
【０００３】
特許文献１では、液体噴射装置に液体を補充する際、液体収容容器に設けられた開口部から液体噴射装置に設けられた注入口に液体を注ぎ入れることにより補充することが開示されている。
【先行技術文献】
【特許文献】
【０００４】
【特許文献１】特開２０１４−１６９１１５号公報
【発明の概要】
【発明が解決しようとする課題】
【０００５】
特許文献１を含め、液体噴射装置に液体を注入する際には、液体噴射装置に設けられた注入口から液体が垂れてしまうことにより、作業者の手を汚してしまう、又は、液体噴射装置を汚してしまうといった課題があった。
従って、液体噴射装置に液体を注入する際に、注ぎやすく、こぼれにくい液体収容容器が要望されていた。
【課題を解決するための手段】
【０００６】
本発明は、上述の課題の少なくとも一部を解決するためになされたものであり、以下の形態または適用例として実現することが可能である。
【０００７】
［適用例１］本適用例に係る液体収容容器は、液体を収容する液体収容容器であって、液体を収容する容器と、容器の容器口部に装着され、容器口部と連通する液体の出口部を設けた蓋体と、を備えていることを特徴とする。
【０００８】
本適用例の液体収容容器によれば、液体収容容器は、液体を収容する容器の容器口部に装着される蓋体を備えて構成されている。また、蓋体には、容器口部と連通する出口部を設けている。作業者は、液体噴射装置に液体を注入する際に、液体の出口部を、例えば液体噴射装置に備えるタンクの注入部から内部に挿入することにより、液体の出口部から液体が流出してタンク内に液体を注入することができる。これにより、液体噴射装置に液体を注入する際に、注ぎやすく、こぼれにくい液体収容容器を実現することができる。従って、液体噴射装置に液体を注入する際に、作業者の手を汚してしまうことや、液体噴射装置を汚してしまうこと等を防止することができる。
【０００９】
［適用例２］上記適用例に係る液体収容容器は、蓋体の出口部を覆うオーバーキャップを備えていることが好ましい。
【００１０】
本適用例の液体収容容器によれば、蓋体の出口部を覆うオーバーキャップを備えることにより、出口部を外部衝撃から保護することができる。また、液体収容容器の外観上の見栄えを高めることができる。
【図面の簡単な説明】
【００１１】
【図１Ａ】実施形態における液体噴射装置の主要構成を模式的に示す斜視図。
【図１Ｂ】液体収容容器を示す外観図。
【図１Ｃ】液体収容容器のオーバーキャップを取り外した外観図。
【図１Ｄ】液体収容容器の蓋体を取り外した外観図。
【図１Ｅ】容器の変形例を示す外観図。
【図１Ｆ】容器の変形例を示す外観図。
【図１Ｇ】実施例１に係る蓋体を示す斜視図。
【図１Ｈ】実施例１に係る蓋体を各軸方向から見た図。
【図１Ｉ】実施例１に係る蓋体を各軸方向から見た図。
【図１Ｊ】実施例１に係る蓋体を各軸方向から見た図。
【図１Ｋ】実施例１に係る蓋体を各軸方向から見た図。
【図１Ｌ】実施例１に係る蓋体を各軸方向から見た図。
【図１Ｍ】実施例１に係る蓋体を各軸方向から見た図。
【図２Ａ】実施例２に係る蓋体を示す斜視図。
【図２Ｂ】実施例２に係る蓋体を各軸方向から見た図。
【図２Ｃ】実施例２に係る蓋体を各軸方向から見た図。
【図２Ｄ】実施例２に係る蓋体を各軸方向から見た図。
【図２Ｅ】実施例２に係る蓋体を各軸方向から見た図。
【図２Ｆ】実施例２に係る蓋体を各軸方向から見た図。
【図２Ｇ】実施例２に係る蓋体を各軸方向から見た図。
【図３Ａ】実施例３に係る蓋体を示す斜視図。
【図３Ｂ】実施例３に係る蓋体を各軸方向から見た図。
【図３Ｃ】実施例３に係る蓋体を各軸方向から見た図。
【図３Ｄ】実施例３に係る蓋体を各軸方向から見た図。
【図３Ｅ】実施例３に係る蓋体を各軸方向から見た図。
【図３Ｆ】実施例３に係る蓋体を各軸方向から見た図。
【図３Ｇ】実施例３に係る蓋体を各軸方向から見た図。
【図４Ａ】実施例４に係る蓋体を示す斜視図。
【図４Ｂ】実施例４に係る蓋体を各軸方向から見た図。
【図４Ｃ】実施例４に係る蓋体を各軸方向から見た図。
【図４Ｄ】実施例４に係る蓋体を各軸方向から見た図。
【図４Ｅ】実施例４に係る蓋体を各軸方向から見た図。
【図４Ｆ】実施例４に係る蓋体を各軸方向から見た図。
【図４Ｇ】実施例４に係る蓋体を各軸方向から見た図。
【図５Ａ】実施例５に係る蓋体を示す斜視図。
【図５Ｂ】実施例５に係る蓋体を各軸方向から見た図。
【図５Ｃ】実施例５に係る蓋体を各軸方向から見た図。
【図５Ｄ】実施例５に係る蓋体を各軸方向から見た図。
【図５Ｅ】実施例５に係る蓋体を各軸方向から見た図。
【図５Ｆ】実施例５に係る蓋体を各軸方向から見た図。
【図５Ｇ】実施例５に係る蓋体を各軸方向から見た図。
【図６Ａ】実施例６に係る蓋体を示す斜視図。
【図６Ｂ】実施例６に係る蓋体を各軸方向から見た図。
【図６Ｃ】実施例６に係る蓋体を各軸方向から見た図。
【図６Ｄ】実施例６に係る蓋体を各軸方向から見た図。
【図６Ｅ】実施例６に係る蓋体を各軸方向から見た図。
【図６Ｆ】実施例６に係る蓋体を各軸方向から見た図。
【図６Ｇ】実施例６に係る蓋体を各軸方向から見た図。
【図７Ａ】実施例７に係る蓋体を示す斜視図。
【図７Ｂ】実施例７に係る蓋体を各軸方向から見た図。
【図７Ｃ】実施例７に係る蓋体を各軸方向から見た図。
【図７Ｄ】実施例７に係る蓋体を各軸方向から見た図。
【図７Ｅ】実施例７に係る蓋体を各軸方向から見た図。
【図７Ｆ】実施例７に係る蓋体を各軸方向から見た図。
【図７Ｇ】実施例７に係る蓋体を各軸方向から見た図。
【図８Ａ】実施例８に係る蓋体を示す斜視図。
【図８Ｂ】実施例８に係る蓋体を各軸方向から見た図。
【図８Ｃ】実施例８に係る蓋体を各軸方向から見た図。
【図８Ｄ】実施例８に係る蓋体を各軸方向から見た図。
【図８Ｅ】実施例８に係る蓋体を各軸方向から見た図。
【図８Ｆ】実施例８に係る蓋体を各軸方向から見た図。
【図８Ｇ】実施例８に係る蓋体を各軸方向から見た図。
【図９Ａ】実施例９に係る蓋体を示す斜視図。
【図９Ｂ】実施例９に係る蓋体を各軸方向から見た図。
【図９Ｃ】実施例９に係る蓋体を各軸方向から見た図。
【図９Ｄ】実施例９に係る蓋体を各軸方向から見た図。
【図９Ｅ】実施例９に係る蓋体を各軸方向から見た図。
【図９Ｆ】実施例９に係る蓋体を各軸方向から見た図。
【図９Ｇ】実施例９に係る蓋体を各軸方向から見た図。
【図１０Ａ】実施例１０に係る蓋体を示す斜視図。
【図１０Ｂ】実施例１０に係る蓋体を各軸方向から見た図。
【図１０Ｃ】実施例１０に係る蓋体を各軸方向から見た図。
【図１０Ｄ】実施例１０に係る蓋体を各軸方向から見た図。
【図１０Ｅ】実施例１０に係る蓋体を各軸方向から見た図。
【図１０Ｆ】実施例１０に係る蓋体を各軸方向から見た図。
【図１０Ｇ】実施例１０に係る蓋体を各軸方向から見た図。
【図１１Ａ】実施例１１に係る蓋体を示す斜視図。
【図１１Ｂ】実施例１１に係る蓋体を各軸方向から見た図。
【図１１Ｃ】実施例１１に係る蓋体を各軸方向から見た図。
【図１１Ｄ】実施例１１に係る蓋体を各軸方向から見た図。
【図１１Ｅ】実施例１１に係る蓋体を各軸方向から見た図。
【図１１Ｆ】実施例１１に係る蓋体を各軸方向から見た図。
【図１１Ｇ】実施例１１に係る蓋体を各軸方向から見た図。
【図１２Ａ】実施例１２に係る蓋体を示す斜視図。
【図１２Ｂ】実施例１２に係る蓋体を各軸方向から見た図。
【図１２Ｃ】実施例１２に係る蓋体を各軸方向から見た図。
【図１２Ｄ】実施例１２に係る蓋体を各軸方向から見た図。
【図１２Ｅ】実施例１２に係る蓋体を各軸方向から見た図。
【図１２Ｆ】実施例１２に係る蓋体を各軸方向から見た図。
【図１２Ｇ】実施例１２に係る蓋体を各軸方向から見た図。
【図１３Ａ】実施例１３に係る蓋体を示す斜視図。
【図１３Ｂ】実施例１３に係る蓋体を各軸方向から見た図。
【図１３Ｃ】実施例１３に係る蓋体を各軸方向から見た図。
【図１３Ｄ】実施例１３に係る蓋体を各軸方向から見た図。
【図１３Ｅ】実施例１３に係る蓋体を各軸方向から見た図。
【図１３Ｆ】実施例１３に係る蓋体を各軸方向から見た図。
【図１３Ｇ】実施例１３に係る蓋体を各軸方向から見た図。
【図１４Ａ】実施例１４に係る蓋体を示す斜視図。
【図１４Ｂ】実施例１４に係る蓋体を各軸方向から見た図。
【図１４Ｃ】実施例１４に係る蓋体を各軸方向から見た図。
【図１４Ｄ】実施例１４に係る蓋体を各軸方向から見た図。
【図１４Ｅ】実施例１４に係る蓋体を各軸方向から見た図。
【図１４Ｆ】実施例１４に係る蓋体を各軸方向から見た図。
【図１４Ｇ】実施例１４に係る蓋体を各軸方向から見た図。
【図１５Ａ】実施例１５に係る蓋体を示す斜視図。
【図１５Ｂ】実施例１５に係る蓋体を各軸方向から見た図。
【図１５Ｃ】実施例１５に係る蓋体を各軸方向から見た図。
【図１５Ｄ】実施例１５に係る蓋体を各軸方向から見た図。
【図１５Ｅ】実施例１５に係る蓋体を各軸方向から見た図。
【図１５Ｆ】実施例１５に係る蓋体を各軸方向から見た図。
【図１５Ｇ】実施例１５に係る蓋体を各軸方向から見た図。
【図１６Ａ】実施例１６に係る蓋体を示す斜視図。
【図１６Ｂ】実施例１６に係る蓋体を各軸方向から見た図。
【図１６Ｃ】実施例１６に係る蓋体を各軸方向から見た図。
【図１６Ｄ】実施例１６に係る蓋体を各軸方向から見た図。
【図１６Ｅ】実施例１６に係る蓋体を各軸方向から見た図。
【図１６Ｆ】実施例１６に係る蓋体を各軸方向から見た図。
【図１６Ｇ】実施例１６に係る蓋体を各軸方向から見た図。
【図１７Ａ】実施例１７に係る蓋体を示す斜視図。
【図１７Ｂ】実施例１７に係る蓋体を各軸方向から見た図。
【図１７Ｃ】実施例１７に係る蓋体を各軸方向から見た図。
【図１７Ｄ】実施例１７に係る蓋体を各軸方向から見た図。
【図１７Ｅ】実施例１７に係る蓋体を各軸方向から見た図。
【図１７Ｆ】実施例１７に係る蓋体を各軸方向から見た図。
【図１７Ｇ】実施例１７に係る蓋体を各軸方向から見た図。
【図１８Ａ】実施例１８に係る蓋体を示す斜視図。
【図１８Ｂ】実施例１８に係る蓋体を各軸方向から見た図。
【図１８Ｃ】実施例１８に係る蓋体を各軸方向から見た図。
【図１８Ｄ】実施例１８に係る蓋体を各軸方向から見た図。
【図１８Ｅ】実施例１８に係る蓋体を各軸方向から見た図。
【図１８Ｆ】実施例１８に係る蓋体を各軸方向から見た図。
【図１８Ｇ】実施例１８に係る蓋体を各軸方向から見た図。
【図１９Ａ】実施例１９に係る蓋体を示す斜視図。
【図１９Ｂ】実施例１９に係る蓋体を各軸方向から見た図。
【図１９Ｃ】実施例１９に係る蓋体を各軸方向から見た図。
【図１９Ｄ】実施例１９に係る蓋体を各軸方向から見た図。
【図１９Ｅ】実施例１９に係る蓋体を各軸方向から見た図。
【図１９Ｆ】実施例１９に係る蓋体を各軸方向から見た図。
【図１９Ｇ】実施例１９に係る蓋体を各軸方向から見た図。
【図２０Ａ】実施例２０に係る蓋体を示す斜視図。
【図２０Ｂ】実施例２０に係る蓋体を各軸方向から見た図。
【図２０Ｃ】実施例２０に係る蓋体を各軸方向から見た図。
【図２０Ｄ】実施例２０に係る蓋体を各軸方向から見た図。
【図２０Ｅ】実施例２０に係る蓋体を各軸方向から見た図。
【図２０Ｆ】実施例２０に係る蓋体を各軸方向から見た図。
【図２０Ｇ】実施例２０に係る蓋体を各軸方向から見た図。
【図２１Ａ】実施例２１に係る蓋体を示す斜視図。
【図２１Ｂ】実施例２１に係る蓋体を各軸方向から見た図。
【図２１Ｃ】実施例２１に係る蓋体を各軸方向から見た図。
【図２１Ｄ】実施例２１に係る蓋体を各軸方向から見た図。
【図２１Ｅ】実施例２１に係る蓋体を各軸方向から見た図。
【図２１Ｆ】実施例２１に係る蓋体を各軸方向から見た図。
【図２１Ｇ】実施例２１に係る蓋体を各軸方向から見た図。
【図２２Ａ】実施例２２に係る蓋体を示す斜視図。
【図２２Ｂ】実施例２２に係る蓋体を各軸方向から見た図。
【図２２Ｃ】実施例２２に係る蓋体を各軸方向から見た図。
【図２２Ｄ】実施例２２に係る蓋体を各軸方向から見た図。
【図２２Ｅ】実施例２２に係る蓋体を各軸方向から見た図。
【図２２Ｆ】実施例２２に係る蓋体を各軸方向から見た図。
【図２２Ｇ】実施例２２に係る蓋体を各軸方向から見た図。
【図２３Ａ】実施例２３に係る蓋体を示す斜視図。
【図２３Ｂ】実施例２３に係る蓋体を各軸方向から見た図。
【図２３Ｃ】実施例２３に係る蓋体を各軸方向から見た図。
【図２３Ｄ】実施例２３に係る蓋体を各軸方向から見た図。
【図２３Ｅ】実施例２３に係る蓋体を各軸方向から見た図。
【図２３Ｆ】実施例２３に係る蓋体を各軸方向から見た図。
【図２３Ｇ】実施例２３に係る蓋体を各軸方向から見た図。
【図２４Ａ】実施例２４に係る蓋体を示す斜視図。
【図２４Ｂ】実施例２４に係る蓋体を各軸方向から見た図。
【図２４Ｃ】実施例２４に係る蓋体を各軸方向から見た図。
【図２４Ｄ】実施例２４に係る蓋体を各軸方向から見た図。
【図２４Ｅ】実施例２４に係る蓋体を各軸方向から見た図。
【図２４Ｆ】実施例２４に係る蓋体を各軸方向から見た図。
【図２４Ｇ】実施例２４に係る蓋体を各軸方向から見た図。
【図２５Ａ】実施例２５に係る蓋体を示す斜視図。
【図２５Ｂ】実施例２５に係る蓋体を各軸方向から見た図。
【図２５Ｃ】実施例２５に係る蓋体を各軸方向から見た図。
【図２５Ｄ】実施例２５に係る蓋体を各軸方向から見た図。
【図２５Ｅ】実施例２５に係る蓋体を各軸方向から見た図。
【図２５Ｆ】実施例２５に係る蓋体を各軸方向から見た図。
【図２５Ｇ】実施例２５に係る蓋体を各軸方向から見た図。
【図２６Ａ】実施例２６に係る蓋体を示す斜視図。
【図２６Ｂ】実施例２６に係る蓋体を各軸方向から見た図。
【図２６Ｃ】実施例２６に係る蓋体を各軸方向から見た図。
【図２６Ｄ】実施例２６に係る蓋体を各軸方向から見た図。
【図２６Ｅ】実施例２６に係る蓋体を各軸方向から見た図。
【図２６Ｆ】実施例２６に係る蓋体を各軸方向から見た図。
【図２６Ｇ】実施例２６に係る蓋体を各軸方向から見た図。
【図２７Ａ】実施例２７に係る蓋体を示す斜視図。
【図２７Ｂ】実施例２７に係る蓋体を各軸方向から見た図。
【図２７Ｃ】実施例２７に係る蓋体を各軸方向から見た図。
【図２７Ｄ】実施例２７に係る蓋体を各軸方向から見た図。
【図２７Ｅ】実施例２７に係る蓋体を各軸方向から見た図。
【図２７Ｆ】実施例２７に係る蓋体を各軸方向から見た図。
【図２７Ｇ】実施例２７に係る蓋体を各軸方向から見た図。
【図２８Ａ】実施例２８に係る蓋体を示す斜視図。
【図２８Ｂ】実施例２８に係る蓋体を各軸方向から見た図。
【図２８Ｃ】実施例２８に係る蓋体を各軸方向から見た図。
【図２８Ｄ】実施例２８に係る蓋体を各軸方向から見た図。
【図２８Ｅ】実施例２８に係る蓋体を各軸方向から見た図。
【図２８Ｆ】実施例２８に係る蓋体を各軸方向から見た図。
【図２８Ｇ】実施例２８に係る蓋体を各軸方向から見た図。
【図２９Ａ】実施例２９に係る蓋体を示す斜視図。
【図２９Ｂ】実施例２９に係る蓋体を各軸方向から見た図。
【図２９Ｃ】実施例２９に係る蓋体を各軸方向から見た図。
【図２９Ｄ】実施例２９に係る蓋体を各軸方向から見た図。
【図２９Ｅ】実施例２９に係る蓋体を各軸方向から見た図。
【図２９Ｆ】実施例２９に係る蓋体を各軸方向から見た図。
【図２９Ｇ】実施例２９に係る蓋体を各軸方向から見た図。
【図３０Ａ】実施例３０に係る蓋体を示す斜視図。
【図３０Ｂ】実施例３０に係る蓋体を各軸方向から見た図。
【図３０Ｃ】実施例３０に係る蓋体を各軸方向から見た図。
【図３０Ｄ】実施例３０に係る蓋体を各軸方向から見た図。
【図３０Ｅ】実施例３０に係る蓋体を各軸方向から見た図。
【図３０Ｆ】実施例３０に係る蓋体を各軸方向から見た図。
【図３０Ｇ】実施例３０に係る蓋体を各軸方向から見た図。
【図３１Ａ】実施例３１に係る蓋体を示す斜視図。
【図３１Ｂ】実施例３１に係る蓋体を各軸方向から見た図。
【図３１Ｃ】実施例３１に係る蓋体を各軸方向から見た図。
【図３１Ｄ】実施例３１に係る蓋体を各軸方向から見た図。
【図３１Ｅ】実施例３１に係る蓋体を各軸方向から見た図。
【図３１Ｆ】実施例３１に係る蓋体を各軸方向から見た図。
【図３１Ｇ】実施例３１に係る蓋体を各軸方向から見た図。
【図３２Ａ】実施例３２に係る蓋体を示す斜視図。
【図３２Ｂ】実施例３２に係る蓋体を各軸方向から見た図。
【図３２Ｃ】実施例３２に係る蓋体を各軸方向から見た図。
【図３２Ｄ】実施例３２に係る蓋体を各軸方向から見た図。
【図３２Ｅ】実施例３２に係る蓋体を各軸方向から見た図。
【図３２Ｆ】実施例３２に係る蓋体を各軸方向から見た図。
【図３２Ｇ】実施例３２に係る蓋体を各軸方向から見た図。
【図３３Ａ】実施例３３に係る蓋体を示す斜視図。
【図３３Ｂ】実施例３３に係る蓋体を各軸方向から見た図。
【図３３Ｃ】実施例３３に係る蓋体を各軸方向から見た図。
【図３３Ｄ】実施例３３に係る蓋体を各軸方向から見た図。
【図３３Ｅ】実施例３３に係る蓋体を各軸方向から見た図。
【図３３Ｆ】実施例３３に係る蓋体を各軸方向から見た図。
【図３３Ｇ】実施例３３に係る蓋体を各軸方向から見た図。
【図３４Ａ】実施例３４に係る蓋体を示す斜視図。
【図３４Ｂ】実施例３４に係る蓋体を各軸方向から見た図。
【図３４Ｃ】実施例３４に係る蓋体を各軸方向から見た図。
【図３４Ｄ】実施例３４に係る蓋体を各軸方向から見た図。
【図３４Ｅ】実施例３４に係る蓋体を各軸方向から見た図。
【図３４Ｆ】実施例３４に係る蓋体を各軸方向から見た図。
【図３４Ｇ】実施例３４に係る蓋体を各軸方向から見た図。
【図３５Ａ】実施例３５に係る蓋体を示す斜視図。
【図３５Ｂ】実施例３５に係る蓋体を各軸方向から見た図。
【図３５Ｃ】実施例３５に係る蓋体を各軸方向から見た図。
【図３５Ｄ】実施例３５に係る蓋体を各軸方向から見た図。
【図３５Ｅ】実施例３５に係る蓋体を各軸方向から見た図。
【図３５Ｆ】実施例３５に係る蓋体を各軸方向から見た図。
【図３５Ｇ】実施例３５に係る蓋体を各軸方向から見た図。
【図３６Ａ】実施例３６に係る蓋体を示す斜視図。
【図３６Ｂ】実施例３６に係る蓋体を各軸方向から見た図。
【図３６Ｃ】実施例３６に係る蓋体を各軸方向から見た図。
【図３６Ｄ】実施例３６に係る蓋体を各軸方向から見た図。
【図３６Ｅ】実施例３６に係る蓋体を各軸方向から見た図。
【図３６Ｆ】実施例３６に係る蓋体を各軸方向から見た図。
【図３６Ｇ】実施例３６に係る蓋体を各軸方向から見た図。
【図３７Ａ】実施例３７に係る蓋体を示す斜視図。
【図３７Ｂ】実施例３７に係る蓋体を各軸方向から見た図。
【図３７Ｃ】実施例３７に係る蓋体を各軸方向から見た図。
【図３７Ｄ】実施例３７に係る蓋体を各軸方向から見た図。
【図３７Ｅ】実施例３７に係る蓋体を各軸方向から見た図。
【図３７Ｆ】実施例３７に係る蓋体を各軸方向から見た図。
【図３７Ｇ】実施例３７に係る蓋体を各軸方向から見た図。
【図３８Ａ】実施例３８に係る蓋体を示す斜視図。
【図３８Ｂ】実施例３８に係る蓋体を各軸方向から見た図。
【図３８Ｃ】実施例３８に係る蓋体を各軸方向から見た図。
【図３８Ｄ】実施例３８に係る蓋体を各軸方向から見た図。
【図３８Ｅ】実施例３８に係る蓋体を各軸方向から見た図。
【図３８Ｆ】実施例３８に係る蓋体を各軸方向から見た図。
【図３８Ｇ】実施例３８に係る蓋体を各軸方向から見た図。
【図３９Ａ】実施例３９に係る蓋体を示す斜視図。
【図３９Ｂ】実施例３９に係る蓋体を各軸方向から見た図。
【図３９Ｃ】実施例３９に係る蓋体を各軸方向から見た図。
【図３９Ｄ】実施例３９に係る蓋体を各軸方向から見た図。
【図３９Ｅ】実施例３９に係る蓋体を各軸方向から見た図。
【図３９Ｆ】実施例３９に係る蓋体を各軸方向から見た図。
【図３９Ｇ】実施例３９に係る蓋体を各軸方向から見た図。
【図４０Ａ】実施例４０に係る蓋体を示す斜視図。
【図４０Ｂ】実施例４０に係る蓋体を各軸方向から見た図。
【図４０Ｃ】実施例４０に係る蓋体を各軸方向から見た図。
【図４０Ｄ】実施例４０に係る蓋体を各軸方向から見た図。
【図４０Ｅ】実施例４０に係る蓋体を各軸方向から見た図。
【図４０Ｆ】実施例４０に係る蓋体を各軸方向から見た図。
【図４０Ｇ】実施例４０に係る蓋体を各軸方向から見た図。
【図４１Ａ】実施例４１に係る蓋体を示す斜視図。
【図４１Ｂ】実施例４１に係る蓋体を各軸方向から見た図。
【図４１Ｃ】実施例４１に係る蓋体を各軸方向から見た図。
【図４１Ｄ】実施例４１に係る蓋体を各軸方向から見た図。
【図４１Ｅ】実施例４１に係る蓋体を各軸方向から見た図。
【図４１Ｆ】実施例４１に係る蓋体を各軸方向から見た図。
【図４１Ｇ】実施例４１に係る蓋体を各軸方向から見た図。
【図４２Ａ】実施例４２に係る蓋体を示す斜視図。
【図４２Ｂ】実施例４２に係る蓋体を各軸方向から見た図。
【図４２Ｃ】実施例４２に係る蓋体を各軸方向から見た図。
【図４２Ｄ】実施例４２に係る蓋体を各軸方向から見た図。
【図４２Ｅ】実施例４２に係る蓋体を各軸方向から見た図。
【図４２Ｆ】実施例４２に係る蓋体を各軸方向から見た図。
【図４２Ｇ】実施例４２に係る蓋体を各軸方向から見た図。
【図４３Ａ】実施例４３に係る蓋体を示す斜視図。
【図４３Ｂ】実施例４３に係る蓋体を各軸方向から見た図。
【図４３Ｃ】実施例４３に係る蓋体を各軸方向から見た図。
【図４３Ｄ】実施例４３に係る蓋体を各軸方向から見た図。
【図４３Ｅ】実施例４３に係る蓋体を各軸方向から見た図。
【図４３Ｆ】実施例４３に係る蓋体を各軸方向から見た図。
【図４３Ｇ】実施例４３に係る蓋体を各軸方向から見た図。
【図４４Ａ】実施例４４に係る蓋体を示す斜視図。
【図４４Ｂ】実施例４４に係る蓋体を各軸方向から見た図。
【図４４Ｃ】実施例４４に係る蓋体を各軸方向から見た図。
【図４４Ｄ】実施例４４に係る蓋体を各軸方向から見た図。
【図４４Ｅ】実施例４４に係る蓋体を各軸方向から見た図。
【図４４Ｆ】実施例４４に係る蓋体を各軸方向から見た図。
【図４４Ｇ】実施例４４に係る蓋体を各軸方向から見た図。
【図４５Ａ】実施例４５に係る蓋体を示す斜視図。
【図４５Ｂ】実施例４５に係る蓋体を各軸方向から見た図。
【図４５Ｃ】実施例４５に係る蓋体を各軸方向から見た図。
【図４５Ｄ】実施例４５に係る蓋体を各軸方向から見た図。
【図４５Ｅ】実施例４５に係る蓋体を各軸方向から見た図。
【図４５Ｆ】実施例４５に係る蓋体を各軸方向から見た図。
【図４５Ｇ】実施例４５に係る蓋体を各軸方向から見た図。
【図４６Ａ】実施例４６に係る蓋体を示す斜視図。
【図４６Ｂ】実施例４６に係る蓋体を各軸方向から見た図。
【図４６Ｃ】実施例４６に係る蓋体を各軸方向から見た図。
【図４６Ｄ】実施例４６に係る蓋体を各軸方向から見た図。
【図４６Ｅ】実施例４６に係る蓋体を各軸方向から見た図。
【図４６Ｆ】実施例４６に係る蓋体を各軸方向から見た図。
【図４６Ｇ】実施例４６に係る蓋体を各軸方向から見た図。
【図４７Ａ】実施例４７に係る蓋体を示す斜視図。
【図４７Ｂ】実施例４７に係る蓋体を各軸方向から見た図。
【図４７Ｃ】実施例４７に係る蓋体を各軸方向から見た図。
【図４７Ｄ】実施例４７に係る蓋体を各軸方向から見た図。
【図４７Ｅ】実施例４７に係る蓋体を各軸方向から見た図。
【図４７Ｆ】実施例４７に係る蓋体を各軸方向から見た図。
【図４７Ｇ】実施例４７に係る蓋体を各軸方向から見た図。
【図４８Ａ】実施例４８に係る蓋体を示す斜視図。
【図４８Ｂ】実施例４８に係る蓋体を各軸方向から見た図。
【図４８Ｃ】実施例４８に係る蓋体を各軸方向から見た図。
【図４８Ｄ】実施例４８に係る蓋体を各軸方向から見た図。
【図４８Ｅ】実施例４８に係る蓋体を各軸方向から見た図。
【図４８Ｆ】実施例４８に係る蓋体を各軸方向から見た図。
【図４８Ｇ】実施例４８に係る蓋体を各軸方向から見た図。
【図４９Ａ】実施例４９に係る蓋体を示す斜視図。
【図４９Ｂ】実施例４９に係る蓋体を各軸方向から見た図。
【図４９Ｃ】実施例４９に係る蓋体を各軸方向から見た図。
【図４９Ｄ】実施例４９に係る蓋体を各軸方向から見た図。
【図４９Ｅ】実施例４９に係る蓋体を各軸方向から見た図。
【図４９Ｆ】実施例４９に係る蓋体を各軸方向から見た図。
【図４９Ｇ】実施例４９に係る蓋体を各軸方向から見た図。
【図５０Ａ】実施例５０に係る蓋体を示す斜視図。
【図５０Ｂ】実施例５０に係る蓋体を各軸方向から見た図。
【図５０Ｃ】実施例５０に係る蓋体を各軸方向から見た図。
【図５０Ｄ】実施例５０に係る蓋体を各軸方向から見た図。
【図５０Ｅ】実施例５０に係る蓋体を各軸方向から見た図。
【図５０Ｆ】実施例５０に係る蓋体を各軸方向から見た図。
【図５０Ｇ】実施例５０に係る蓋体を各軸方向から見た図。
【図５１Ａ】実施例５１に係る蓋体を示す斜視図。
【図５１Ｂ】実施例５１に係る蓋体を各軸方向から見た図。
【図５１Ｃ】実施例５１に係る蓋体を各軸方向から見た図。
【図５１Ｄ】実施例５１に係る蓋体を各軸方向から見た図。
【図５１Ｅ】実施例５１に係る蓋体を各軸方向から見た図。
【図５１Ｆ】実施例５１に係る蓋体を各軸方向から見た図。
【図５１Ｇ】実施例５１に係る蓋体を各軸方向から見た図。
【図５２Ａ】実施例５２に係る蓋体を示す斜視図。
【図５２Ｂ】実施例５２に係る蓋体を各軸方向から見た図。
【図５２Ｃ】実施例５２に係る蓋体を各軸方向から見た図。
【図５２Ｄ】実施例５２に係る蓋体を各軸方向から見た図。
【図５２Ｅ】実施例５２に係る蓋体を各軸方向から見た図。
【図５２Ｆ】実施例５２に係る蓋体を各軸方向から見た図。
【図５２Ｇ】実施例５２に係る蓋体を各軸方向から見た図。
【図５３Ａ】実施例５３に係る蓋体を示す斜視図。
【図５３Ｂ】実施例５３に係る蓋体を各軸方向から見た図。
【図５３Ｃ】実施例５３に係る蓋体を各軸方向から見た図。
【図５３Ｄ】実施例５３に係る蓋体を各軸方向から見た図。
【図５３Ｅ】実施例５３に係る蓋体を各軸方向から見た図。
【図５３Ｆ】実施例５３に係る蓋体を各軸方向から見た図。
【図５３Ｇ】実施例５３に係る蓋体を各軸方向から見た図。
【図５４Ａ】実施例５４に係る蓋体を示す斜視図。
【図５４Ｂ】実施例５４に係る蓋体を各軸方向から見た図。
【図５４Ｃ】実施例５４に係る蓋体を各軸方向から見た図。
【図５４Ｄ】実施例５４に係る蓋体を各軸方向から見た図。
【図５４Ｅ】実施例５４に係る蓋体を各軸方向から見た図。
【図５４Ｆ】実施例５４に係る蓋体を各軸方向から見た図。
【図５４Ｇ】実施例５４に係る蓋体を各軸方向から見た図。
【図５５Ａ】実施例５５に係る蓋体を示す斜視図。
【図５５Ｂ】実施例５５に係る蓋体を各軸方向から見た図。
【図５５Ｃ】実施例５５に係る蓋体を各軸方向から見た図。
【図５５Ｄ】実施例５５に係る蓋体を各軸方向から見た図。
【図５５Ｅ】実施例５５に係る蓋体を各軸方向から見た図。
【図５５Ｆ】実施例５５に係る蓋体を各軸方向から見た図。
【図５５Ｇ】実施例５５に係る蓋体を各軸方向から見た図。
【図５６Ａ】実施例５６に係る蓋体を示す斜視図。
【図５６Ｂ】実施例５６に係る蓋体を各軸方向から見た図。
【図５６Ｃ】実施例５６に係る蓋体を各軸方向から見た図。
【図５６Ｄ】実施例５６に係る蓋体を各軸方向から見た図。
【図５６Ｅ】実施例５６に係る蓋体を各軸方向から見た図。
【図５６Ｆ】実施例５６に係る蓋体を各軸方向から見た図。
【図５６Ｇ】実施例５６に係る蓋体を各軸方向から見た図。
【図５７Ａ】実施例５７に係る蓋体を示す斜視図。
【図５７Ｂ】実施例５７に係る蓋体を各軸方向から見た図。
【図５７Ｃ】実施例５７に係る蓋体を各軸方向から見た図。
【図５７Ｄ】実施例５７に係る蓋体を各軸方向から見た図。
【図５７Ｅ】実施例５７に係る蓋体を各軸方向から見た図。
【図５７Ｆ】実施例５７に係る蓋体を各軸方向から見た図。
【図５７Ｇ】実施例５７に係る蓋体を各軸方向から見た図。
【図５８Ａ】実施例５８に係る蓋体を示す斜視図。
【図５８Ｂ】実施例５８に係る蓋体を各軸方向から見た図。
【図５８Ｃ】実施例５８に係る蓋体を各軸方向から見た図。
【図５８Ｄ】実施例５８に係る蓋体を各軸方向から見た図。
【図５８Ｅ】実施例５８に係る蓋体を各軸方向から見た図。
【図５８Ｆ】実施例５８に係る蓋体を各軸方向から見た図。
【図５８Ｇ】実施例５８に係る蓋体を各軸方向から見た図。
【図５９Ａ】実施例５９に係る蓋体を示す斜視図。
【図５９Ｂ】実施例５９に係る蓋体を各軸方向から見た図。
【図５９Ｃ】実施例５９に係る蓋体を各軸方向から見た図。
【図５９Ｄ】実施例５９に係る蓋体を各軸方向から見た図。
【図５９Ｅ】実施例５９に係る蓋体を各軸方向から見た図。
【図５９Ｆ】実施例５９に係る蓋体を各軸方向から見た図。
【図５９Ｇ】実施例５９に係る蓋体を各軸方向から見た図。
【図６０Ａ】実施例６０に係る蓋体を示す斜視図。
【図６０Ｂ】実施例６０に係る蓋体を各軸方向から見た図。
【図６０Ｃ】実施例６０に係る蓋体を各軸方向から見た図。
【図６０Ｄ】実施例６０に係る蓋体を各軸方向から見た図。
【図６０Ｅ】実施例６０に係る蓋体を各軸方向から見た図。
【図６０Ｆ】実施例６０に係る蓋体を各軸方向から見た図。
【図６０Ｇ】実施例６０に係る蓋体を各軸方向から見た図。
【発明を実施するための形態】
【００１２】
以下、本発明の実施形態について、図面を参照して説明する。なお、以下の各図においては、各部材を認識可能な程度の大きさとするため、各部材の尺度を実際とは異ならせている。また、液体噴射装置の一例であるインクジェットプリンター（以下、プリンターと称する）を例に各実施形態を説明する。
【００１３】
［プリンターの構成］
図１Ａは、実施形態における液体噴射装置の主要構成を模式的に示す斜視図である。なお、図１Ａは、相互に直交する座標軸であるＸＹＺ軸を付記し、水平面に一致するＸＹ平面にプリンター１を配置した場合の使用状態を図示している。この場合、Ｘ軸はキャリッジ７を往復移動させる方向に一致し、Ｙ（Ｙ（＋））軸は、被記録部材Ｐを搬送させる方向に一致し、Ｚ軸はプリンター１の高さ方向に一致している。
【００１４】
本実施形態のプリンター１は、図１Ａに示すように、プリンター本体２とインク供給装置３とを備えている。プリンター本体２は、記録部５と制御部４とを備えている。プリンター本体２において、記録部５と制御部４とは筐体６に収容されている。記録部５は、搬送装置（図示省略）でＹ軸方向に搬送される被記録部材Ｐに、インクで記録を行う。なお、図示省略する搬送装置は、記録用紙などの被記録部材Ｐを、Ｙ（＋）方向に間欠的に搬送する。記録部５は、移動装置（図示省略）によって、Ｘ軸に沿って往復移動可能に構成されている。インク供給装置３は記録部５にインクを供給する。制御部４は上記の各構成の駆動を制御する。
【００１５】
記録部５は、キャリッジ７と記録ヘッド８とを備えている。記録ヘッド８は、インクをインク滴として吐出して、被記録部材Ｐに記録（印刷）を行う。キャリッジ７は記録ヘッド８を搭載している。なお、記録ヘッド８は制御部４に電気的に接続されている。記録ヘッド８からのインク滴の吐出は、制御部４によって制御される。
【００１６】
本実施形態のインク供給装置３は、複数（本実施形態では４つ）のタンク９を有している。複数のタンク９は、筐体１０の内部に収容されている。これにより、タンク９を筐体１０で保護することができる。なお、筐体１０と筐体６とは、互いに別体であっても一体であってもよい。筐体１０と筐体６とが一体である場合、複数のタンク９は、記録ヘッド８やインク供給チューブ１２と共に筐体６の内部に収容させることができる。なお、本実施形態では、プリンター本体２の外部に複数のタンク９をＹ方向に沿って配置しているが、プリンター本体２の内部で被記録部材Ｐの排出路の横にＸ方向に沿って並置してもよい。
【００１７】
タンク９内部にはインクが収容（貯留）されている。タンク９にはインク注入部１１が形成されている。タンク９には、インク注入部１１を介してタンク９の外部からタンク９の内部にインクを注入（充填または補給）することができる。なお、作業者は、筐体１０の外側からタンク９のインク注入部１１にアクセスすることができる。また、インク注入部１１は、蓋（図示省略）で封止されている。作業者は、タンク９にインクを注入（充填または補給）する場合、蓋を開けてインク注入部１１を開放してから、後述する液体収容容器１００によりインクを注入（充填または補給）する。
【００１８】
各タンク９には、インク供給チューブ１２が接続される。タンク９内のインクは、インク供給装置３からインク供給チューブ１２を介して記録ヘッド８に供給される。そして、記録ヘッド８に供給されたインクが、被記録部材Ｐ側に向けられたノズル（図示省略）からインク滴として吐出される。なお、上記の例では、プリンター本体２とインク供給装置３とを個別の構成として説明したが、インク供給装置３をプリンター本体２の構成に含めることもできる。
【００１９】
上記の構成を有するプリンター１では、被記録部材ＰをＹ軸方向（Ｙ（＋）方向）に搬送させ、且つキャリッジ７をＸ軸に沿って往復移動させながら、記録ヘッド８に所定の位置でインク滴を吐出させることによって、被記録部材Ｐに記録が行われる。
【００２０】
本実施形態では、タンク９へのインクの注入に、液体収容容器１００が用いられる。以降では、液体収容容器１００の種々の実施例を説明する。
【００２１】
［液体収容容器の構成］
図１Ｂは、液体収容容器１００を示す外観図である。図１Ｃは、液体収容容器１００のオーバーキャップ１３を取り外した外観図である。図１Ｄは、液体収容容器１００の蓋体２００を取り外した外観図である。
【００２２】
なお、図１Ｃ、図１Ｄに示す液体収容容器１００は、以降で説明する各実施例における上位の構成として説明するため、便宜上、図１Ｇ〜図１Ｍで説明する実施例１の液体収容容器１０１を使用している。従って、図１Ｃ、図１Ｄに示す蓋体２００、出口部３００、流出口３００ａにおいても、同様に、実施例１の蓋体２０１、出口部３０１、流出口３０１ａを使用している。液体収容容器１００について説明する。
【００２３】
タンク９へのインクの注入に、図１Ｂに示す液体収容容器１００が使用される。液体収容容器１００には、タンク９へ注入するためのインクが収容されている。液体収容容器１００は、容器１５と蓋体２００とで構成されている。なお、液体収容容器１００はオーバーキャップ１３を含む構成としてもよい。
【００２４】
オーバーキャップ１３は、図１Ｃに示すように、蓋体２００に対して着脱可能に構成されている。蓋体２００は、図１Ｄに示すように、容器１５に対して着脱可能に構成されている。容器１５は、図１Ｄに示すように、インク収容部１６と容器口部１７とを備えている。インク収容部１６は、インクを収容可能な部分である。容器口部１７は、蓋体２００と併せて、インク収容部１６内のインクを容器１５の外に流出可能な部分である。
【００２５】
容器口部１７の外周面には、図１Ｄに示すように、螺条１８が形成されており、蓋体２００のスカート部２０の内周面に形成される螺条（図示省略）と螺合することで、蓋体２００が容器口部１７に装着される。これにより、容器口部１７と、蓋体２００の後述する出口部３００とが連通する。
【００２６】
蓋体２００には、図１Ｃ、図１Ｄに示すように、スカート部２０の上段に、外周面に螺条２２が形成された係合部２１を備えている。また、係合部２１の上段には段差部２３を備えている。また、段差部２３の上面２３ａに液体（インク）をインク注入部１１（タンク９）に注入する中空の流出口３００ａを有する出口部３００を備えている。
【００２７】
係合部２１の螺条２２に、オーバーキャップ１３の内周面に形成される螺条（図示省略）を螺合することで、オーバーキャップ１３が蓋体２００（係合部２１）に装着される。なお、係合部２１に形成される螺条２２は、必ずしも必要なく、螺条以外の装着機構を用いることでオーバーキャップ１３を装着（係止等）することでもよい。
【００２８】
作業者は、容器口部１７から、例えばインクのシール用のシール部材（図示省略）を取り除いた後、図１Ｃに示すように、容器口部１７に蓋体２００を装着した状態で、出口部３００を含む領域を、図１Ａに示すインク注入部１１から内部に挿入することにより、出口部３００の流出口３００ａからインクが流出してタンク９内にインクを注入（補給）することができる。
【００２９】
図１Ｅ、図１Ｆは、容器１５の変形例（容器１５Ａ，１５Ｂ）を示す外観図である。
図１Ｂ〜図１Ｄに示す容器１５において、図１Ｅに示す容器１５Ａのように、インクの収容量に対応させて形状を変化させたインク収容部１６Ａと、容器口部１７とで構成されていてもよい。また、図１Ｆに示す容器１５Ｂように、インクの収容量に対応させて形状を変化させたインク収容部１６Ｂと、容器口部１７とで構成されていてもよい。いずれの容器１５Ａ，１５Ｂにおいても、容器口部１７には、以降で説明する各種の蓋体２００が設置される。また、インク収容部１６，１６Ａ，１６Ｂの形状以外にもインク収容部の形状を適宜変化させてもよい。
【００３０】
以降では、実施形態に係る様々な液体収容容器１００の詳細な構成について説明する。なお、本実施形態に係る様々な液体収容容器１００では、基本構成が共通であって、異なるのは、蓋体２００である。但し、インク収容部１６，１６Ａ，１６Ｂの形状の違いはある。また、蓋体２００においても基本構成は共通であり、異なるのは、出口部３００の構成となる。従って、以降では、実施形態に係る蓋体２００の形状を様々に異ならせて実施した実施例に関して図面を参照して順番に説明する。
【００３１】
＜実施例１＞
実施例１に係る蓋体２０１について、図１Ｇ〜図１Ｍを用いて説明する。図１Ｇは実施例１に係る蓋体２０１を示す斜視図である。図１Ｈ〜図１Ｍは、実施例１に係る蓋体２０１を各軸方向から見た図である。
【００３２】
ここで、各図において、相互に直交する座標軸であるＸＹＺ軸を付記する。なお、水平面に一致するＸＹ平面に蓋体２０１を配置した場合を基準とし、Ｚ軸は蓋体２０１の高さ方向に一致させている。
【００３３】
詳細には、図１Ｈは＋Ｘ方向から見た図であり、図１Ｉは＋Ｙ方向から見た図であり、図１Ｊは−Ｘ方向から見た図であり、図１Ｋは−Ｙ方向から見た図であり、図１Ｌは＋Ｚ方向から見た図であり、図１Ｍは−Ｚ方向から見た図である。
【００３４】
上述した図１Ｂ〜図１Ｄ、及び図１Ｇ〜図１Ｍに示すように、蓋体２０１を構成するスカート部２０、係合部２１、段差部２３は、外周面が円形に構成されている。そして、段差部２３の上面２３ａには、流出口３０１ａを有する円筒形状となる出口部３０１が構成されている。
【００３５】
実施例１の液体収容容器１０１は、上述した蓋体２０１が容器１５に設置されて構成される。作業者は、出口部３０１を、図１Ａに示すインク注入部１１から内部に挿入することにより、流出口３０１ａからインクが流出してタンク９内にインクを注入することができる。
【００３６】
蓋体２０１が、インクをインク注入部１１に注入する出口部３０１を有していることにより、プリンター１にインクを注入する際に、注ぎやすく、こぼれにくい液体収容容器１０１を実現することができる。これにより、プリンター１にインクを注入する際に、作業者の手を汚してしまうことや、プリンター１を汚してしまうこと等を防止することができる。
【００３７】
＜実施例２＞
実施例２に係る蓋体２０２について、図２Ａ〜図２Ｇを用いて説明する。図２Ａは実施例２に係る蓋体２０２を示す斜視図である。図２Ｂ〜図２Ｇは、実施例２に係る蓋体２０２を各軸方向から見た図である。
【００３８】
ここで、各図において、相互に直交する座標軸であるＸＹＺ軸を付記する。なお、水平面に一致するＸＹ平面に蓋体２０２を配置した場合を基準とし、Ｚ軸は蓋体２０２の高さ方向に一致させている。
【００３９】
詳細には、図２Ｂは＋Ｘ方向から見た図であり、図２Ｃは＋Ｙ方向から見た図であり、図２Ｄは−Ｘ方向から見た図であり、図２Ｅは−Ｙ方向から見た図であり、図２Ｆは＋Ｚ方向から見た図であり、図２Ｇは−Ｚ方向から見た図である。
【００４０】
本実施例の蓋体２０２は、実施例１の蓋体２０１と比較した場合、流出口３０２ａを有する円筒形状の出口部３０２が、実施例１の出口部３０１より上方向に長く構成されている。その他の構成は実施例１と同様に構成されている。
【００４１】
実施例２の出口部３０２を有する蓋体２０２、及び蓋体２０２を備えた液体収容容器１０２によっても、実施例１と同様の効果を奏することができる。
【００４２】
＜実施例３＞
実施例３に係る蓋体２０３について、図３Ａ〜図３Ｇを用いて説明する。図３Ａは実施例３に係る蓋体２０３を示す斜視図である。図３Ｂ〜図３Ｇは、実施例３に係る蓋体２０３を各軸方向から見た図である。
【００４３】
ここで、各図において、相互に直交する座標軸であるＸＹＺ軸を付記する。なお、水平面に一致するＸＹ平面に蓋体２０３を配置した場合を基準とし、Ｚ軸は蓋体２０３の高さ方向に一致させている。
【００４４】
詳細には、図３Ｂは＋Ｘ方向から見た図であり、図３Ｃは＋Ｙ方向から見た図であり、図３Ｄは−Ｘ方向から見た図であり、図３Ｅは−Ｙ方向から見た図であり、図３Ｆは＋Ｚ方向から見た図であり、図３Ｇは−Ｚ方向から見た図である。
【００４５】
本実施例の蓋体２０３は、実施例１の蓋体２０１と比較した場合、流出口３０３ａを有する円筒形状の出口部３０３が、実施例１の出口部３０１の径より細く構成されている。その他の構成は実施例１と同様に構成されている。
【００４６】
実施例３の出口部３０３を有する蓋体２０３、及び蓋体２０３を備えた液体収容容器１０３によっても、実施例１と同様の効果を奏することができる。
【００４７】
＜実施例４＞
実施例４に係る蓋体２０４について、図４Ａ〜図４Ｇを用いて説明する。図４Ａは実施例４に係る蓋体２０４を示す斜視図である。図４Ｂ〜図４Ｇは、実施例４に係る蓋体２０４を各軸方向から見た図である。
【００４８】
ここで、各図において、相互に直交する座標軸であるＸＹＺ軸を付記する。なお、水平面に一致するＸＹ平面に蓋体２０４を配置した場合を基準とし、Ｚ軸は蓋体２０４の高さ方向に一致させている。
【００４９】
詳細には、図４Ｂは＋Ｘ方向から見た図であり、図４Ｃは＋Ｙ方向から見た図であり、図４Ｄは−Ｘ方向から見た図であり、図４Ｅは−Ｙ方向から見た図であり、図４Ｆは＋Ｚ方向から見た図であり、図４Ｇは−Ｚ方向から見た図である。
【００５０】
本実施例の蓋体２０４は、実施例１の蓋体２０１と比較した場合、流出口３０４ａを有する円筒形状の出口部３０４が、実施例１の蓋体２０１の出口部３０１の径より細く、出口部３０１の長さより上方向に長く構成されている。その他の構成は実施例１と同様に構成されている。
【００５１】
実施例４の出口部３０４を有する蓋体２０４、及び蓋体２０４を備えた液体収容容器１０４によっても、実施例１と同様の効果を奏することができる。
【００５２】
＜実施例５＞
実施例５に係る蓋体２０５について、図５Ａ〜図５Ｇを用いて説明する。図５Ａは実施例５に係る蓋体２０５を示す斜視図である。図５Ｂ〜図５Ｇは、実施例５に係る蓋体２０５を各軸方向から見た図である。
【００５３】
ここで、各図において、相互に直交する座標軸であるＸＹＺ軸を付記する。なお、水平面に一致するＸＹ平面に蓋体２０５を配置した場合を基準とし、Ｚ軸は蓋体２０５の高さ方向に一致させている。
【００５４】
詳細には、図５Ｂは＋Ｘ方向から見た図であり、図５Ｃは＋Ｙ方向から見た図であり、図５Ｄは−Ｘ方向から見た図であり、図５Ｅは−Ｙ方向から見た図であり、図５Ｆは＋Ｚ方向から見た図であり、図５Ｇは−Ｚ方向から見た図である。
【００５５】
本実施例の蓋体２０５は、実施例１の蓋体２０１と比較した場合、流出口３０５ａを有する出口部３０５が、円筒形状ではなく、三角形の筒形状に構成されている。その他の構成は実施例１と同様に構成されている。
【００５６】
実施例５の出口部３０５を有する蓋体２０５、及び蓋体２０５を備えた液体収容容器１０５によっても、実施例１と同様の効果を奏することができる。
【００５７】
＜実施例６＞
実施例６に係る蓋体２０６について、図６Ａ〜図６Ｇを用いて説明する。図６Ａは実施例６に係る蓋体２０６を示す斜視図である。図６Ｂ〜図６Ｇは、実施例６に係る蓋体２０６を各軸方向から見た図である。
【００５８】
ここで、各図において、相互に直交する座標軸であるＸＹＺ軸を付記する。なお、水平面に一致するＸＹ平面に蓋体２０６を配置した場合を基準とし、Ｚ軸は蓋体２０６の高さ方向に一致させている。
【００５９】
詳細には、図６Ｂは＋Ｘ方向から見た図であり、図６Ｃは＋Ｙ方向から見た図であり、図６Ｄは−Ｘ方向から見た図であり、図６Ｅは−Ｙ方向から見た図であり、図６Ｆは＋Ｚ方向から見た図であり、図６Ｇは−Ｚ方向から見た図である。
【００６０】
本実施例の蓋体２０６は、実施例５の蓋体２０５と比較した場合、流出口３０６ａを有する出口部３０６が、三角形の筒形状ではなく、矩形の筒形状に構成されている。その他の構成は実施例５と同様に構成されている。
【００６１】
実施例６の出口部３０６を有する蓋体２０６、及び蓋体２０６を備えた液体収容容器１０６によっても、実施例１と同様の効果を奏することができる。
【００６２】
＜実施例７＞
実施例７に係る蓋体２０７について、図７Ａ〜図７Ｇを用いて説明する。図７Ａは実施例７に係る蓋体２０７を示す斜視図である。図７Ｂ〜図７Ｇは、実施例７に係る蓋体２０７を各軸方向から見た図である。
【００６３】
ここで、各図において、相互に直交する座標軸であるＸＹＺ軸を付記する。なお、水平面に一致するＸＹ平面に蓋体２０７を配置した場合を基準とし、Ｚ軸は蓋体２０７の高さ方向に一致させている。
【００６４】
詳細には、図７Ｂは＋Ｘ方向から見た図であり、図７Ｃは＋Ｙ方向から見た図であり、図７Ｄは−Ｘ方向から見た図であり、図７Ｅは−Ｙ方向から見た図であり、図７Ｆは＋Ｚ方向から見た図であり、図７Ｇは−Ｚ方向から見た図である。
【００６５】
本実施例の液体収容容器１０７は、段差部２３の上面２３ａに、流出口３０７ａを有して外形が先端方向に先細りする円筒形状の出口部３０７が構成されている。その他の構成は実施例１と同様に構成されている。
【００６６】
実施例７の出口部３０７を有する蓋体２０７、及び蓋体２０７を備えた液体収容容器１０７によっても、実施例１と同様の効果を奏することができる。
【００６７】
＜実施例８＞
実施例８に係る蓋体２０８について、図８Ａ〜図８Ｇを用いて説明する。図８Ａは実施例８に係る蓋体２０８を示す斜視図である。図８Ｂ〜図８Ｇは、実施例８に係る蓋体２０８を各軸方向から見た図である。
【００６８】
ここで、各図において、相互に直交する座標軸であるＸＹＺ軸を付記する。なお、水平面に一致するＸＹ平面に蓋体２０８を配置した場合を基準とし、Ｚ軸は蓋体２０８の高さ方向に一致させている。
【００６９】
詳細には、図８Ｂは＋Ｘ方向から見た図であり、図８Ｃは＋Ｙ方向から見た図であり、図８Ｄは−Ｘ方向から見た図であり、図８Ｅは−Ｙ方向から見た図であり、図８Ｆは＋Ｚ方向から見た図であり、図８Ｇは−Ｚ方向から見た図である。
【００７０】
本実施例の蓋体２０８は、実施例７の蓋体２０７と比較した場合、流出口３０８ａを有して先細りする円筒形状の出口部３０８が、実施例７の出口部３０７より上方向に長く構成されている。その他の構成は実施例７と同様に構成されている。
【００７１】
実施例８の出口部３０８を有する蓋体２０８、及び蓋体２０８を備えた液体収容容器１０８によっても、実施例１と同様の効果を奏することができる。
【００７２】
＜実施例９＞
実施例９に係る蓋体２０９について、図９Ａ〜図９Ｇを用いて説明する。図９Ａは実施例９に係る蓋体２０９を示す斜視図である。図９Ｂ〜図９Ｇは、実施例９に係る蓋体２０９を各軸方向から見た図である。
【００７３】
ここで、各図において、相互に直交する座標軸であるＸＹＺ軸を付記する。なお、水平面に一致するＸＹ平面に蓋体２０９を配置した場合を基準とし、Ｚ軸は蓋体２０９の高さ方向に一致させている。
【００７４】
詳細には、図９Ｂは＋Ｘ方向から見た図であり、図９Ｃは＋Ｙ方向から見た図であり、図９Ｄは−Ｘ方向から見た図であり、図９Ｅは−Ｙ方向から見た図であり、図９Ｆは＋Ｚ方向から見た図であり、図９Ｇは−Ｚ方向から見た図である。
【００７５】
本実施例の蓋体２０９は、実施例８の蓋体２０８と比較した場合、流出口３０９ａを有して先細りする円筒形状の出口部３０９が、実施例８の出口部３０８より上方向に長く構成されている。その他の構成は実施例８と同様に構成されている。
【００７６】
実施例９の出口部３０９を有する蓋体２０９、及び蓋体２０９を備えた液体収容容器１０９によっても、実施例１と同様の効果を奏することができる。
【００７７】
＜実施例１０＞
実施例１０に係る蓋体２１０について、図１０Ａ〜図１０Ｇを用いて説明する。図１０Ａは実施例１０に係る蓋体２１０を示す斜視図である。図１０Ｂ〜図１０Ｇは、実施例１０に係る蓋体２１０を各軸方向から見た図である。
【００７８】
ここで、各図において、相互に直交する座標軸であるＸＹＺ軸を付記する。なお、水平面に一致するＸＹ平面に蓋体２１０を配置した場合を基準とし、Ｚ軸は蓋体２１０の高さ方向に一致させている。
【００７９】
詳細には、図１０Ｂは＋Ｘ方向から見た図であり、図１０Ｃは＋Ｙ方向から見た図であり、図１０Ｄは−Ｘ方向から見た図であり、図１０Ｅは−Ｙ方向から見た図であり、図１０Ｆは＋Ｚ方向から見た図であり、図１０Ｇは−Ｚ方向から見た図である。
【００８０】
本実施例の蓋体２１０は、実施例７の蓋体２０７と比較した場合、流出口３１０ａを有して先細りする円筒形状の出口部３１０が、先端方向に先細りする筒形状であり、その先端部が斜めにカットされた形状として構成されている。その他の構成は実施例７と同様に構成されている。
【００８１】
実施例１０の出口部３１０を有する蓋体２１０、及び蓋体２１０を備えた液体収容容器１１０によっても、実施例１と同様の効果を奏することができる。
【００８２】
＜実施例１１＞
実施例１１に係る蓋体２１１について、図１１Ａ〜図１１Ｇを用いて説明する。図１１Ａは実施例１１に係る蓋体２１１を示す斜視図である。図１１Ｂ〜図１１Ｇは、実施例１１に係る蓋体２１１を各軸方向から見た図である。
【００８３】
ここで、各図において、相互に直交する座標軸であるＸＹＺ軸を付記する。なお、水平面に一致するＸＹ平面に蓋体２１１を配置した場合を基準とし、Ｚ軸は蓋体２１１の高さ方向に一致させている。
【００８４】
詳細には、図１１Ｂは＋Ｘ方向から見た図であり、図１１Ｃは＋Ｙ方向から見た図であり、図１１Ｄは−Ｘ方向から見た図であり、図１１Ｅは−Ｙ方向から見た図であり、図１１Ｆは＋Ｚ方向から見た図であり、図１１Ｇは−Ｚ方向から見た図である。
【００８５】
本実施例の蓋体２１１は、段差部２３の上面２３ａに、流出口３１１ａを有して外形が先端方向に先細りする筒形状で、外周面が逆Ｒ（内側に窪む曲面）の出口部３１１が構成されている。その他の構成は実施例１と同様に構成されている。
【００８６】
実施例１１の出口部３１１を有する蓋体２１１、及び蓋体２１１を備えた液体収容容器１１１によっても、実施例１と同様の効果を奏することができる。
【００８７】
＜実施例１２＞
実施例１２に係る蓋体２１２について、図１２Ａ〜図１２Ｇを用いて説明する。図１２Ａは実施例１２に係る蓋体２１２を示す斜視図である。図１２Ｂ〜図１２Ｇは、実施例１２に係る蓋体２１２を各軸方向から見た図である。
【００８８】
ここで、各図において、相互に直交する座標軸であるＸＹＺ軸を付記する。なお、水平面に一致するＸＹ平面に蓋体２１２を配置した場合を基準とし、Ｚ軸は蓋体２１２の高さ方向に一致させている。
【００８９】
詳細には、図１２Ｂは＋Ｘ方向から見た図であり、図１２Ｃは＋Ｙ方向から見た図であり、図１２Ｄは−Ｘ方向から見た図であり、図１２Ｅは−Ｙ方向から見た図であり、図１２Ｆは＋Ｚ方向から見た図であり、図１２Ｇは−Ｚ方向から見た図である。
【００９０】
本実施例の蓋体２１２は、実施例１１の蓋体２１１と比較した場合、流出口３１２ａを有して先細りする筒形状で、外周面が逆Ｒの曲面形状となる出口部３１２が、実施例１１の出口部３１１より上方向に長く構成されている。その他の構成は実施例１１と同様に構成されている。
【００９１】
実施例１２の出口部３１２を有する蓋体２１２、及び蓋体２１２を備えた液体収容容器１１２によっても、実施例１と同様の効果を奏することができる。
【００９２】
＜実施例１３＞
実施例１３に係る蓋体２１３について、図１３Ａ〜図１３Ｇを用いて説明する。図１３Ａは実施例１３に係る蓋体２１３を示す斜視図である。図１３Ｂ〜図１３Ｇは、実施例１３に係る蓋体２１３を各軸方向から見た図である。
【００９３】
ここで、各図において、相互に直交する座標軸であるＸＹＺ軸を付記する。なお、水平面に一致するＸＹ平面に蓋体２１３を配置した場合を基準とし、Ｚ軸は蓋体２１３の高さ方向に一致させている。
【００９４】
詳細には、図１３Ｂは＋Ｘ方向から見た図であり、図１３Ｃは＋Ｙ方向から見た図であり、図１３Ｄは−Ｘ方向から見た図であり、図１３Ｅは−Ｙ方向から見た図であり、図１３Ｆは＋Ｚ方向から見た図であり、図１３Ｇは−Ｚ方向から見た図である。
【００９５】
本実施例の蓋体２１３は、実施例１２の蓋体２１２と比較した場合、流出口３１３ａを有して先細りする筒形状で、外周面が逆Ｒの曲面形状となる出口部３１３が、実施例１２の出口部３１２より上方向に長く構成されている。その他の構成は実施例１２と同様に構成されている。
【００９６】
実施例１３の出口部３１３を有する蓋体２１３、及び蓋体２１３を備えた液体収容容器１１３によっても、実施例１と同様の効果を奏することができる。
【００９７】
＜実施例１４＞
実施例１４に係る蓋体２１４について、図１４Ａ〜図１４Ｇを用いて説明する。図１４Ａは実施例１４に係る蓋体２１４を示す斜視図である。図１４Ｂ〜図１４Ｇは、実施例１４に係る蓋体２１４を各軸方向から見た図である。
【００９８】
ここで、各図において、相互に直交する座標軸であるＸＹＺ軸を付記する。なお、水平面に一致するＸＹ平面に蓋体２１４を配置した場合を基準とし、Ｚ軸は蓋体２１４の高さ方向に一致させている。
【００９９】
詳細には、図１４Ｂは＋Ｘ方向から見た図であり、図１４Ｃは＋Ｙ方向から見た図であり、図１４Ｄは−Ｘ方向から見た図であり、図１４Ｅは−Ｙ方向から見た図であり、図１４Ｆは＋Ｚ方向から見た図であり、図１４Ｇは−Ｚ方向から見た図である。
【０１００】
本実施例の蓋体２１４は、段差部２３の上面２３ａに、流出口３１４ａを有して外形が樽状または鼓状（中央の部分が膨らんだ楕円形状）で筒形状の出口部３１４が構成されている。その他の構成は実施例１と同様に構成されている。
【０１０１】
実施例１４の出口部３１４を有する蓋体２１４、及び蓋体２１４を備えた液体収容容器１１４によっても、実施例１と同様の効果を奏することができる。
【０１０２】
＜実施例１５＞
実施例１５に係る蓋体２１５について、図１５Ａ〜図１５Ｇを用いて説明する。図１５Ａは実施例１５に係る蓋体２１５を示す斜視図である。図１５Ｂ〜図１５Ｇは、実施例１５に係る蓋体２１５を各軸方向から見た図である。
【０１０３】
ここで、各図において、相互に直交する座標軸であるＸＹＺ軸を付記する。なお、水平面に一致するＸＹ平面に蓋体２１５を配置した場合を基準とし、Ｚ軸は蓋体２１５の高さ方向に一致させている。
【０１０４】
詳細には、図１５Ｂは＋Ｘ方向から見た図であり、図１５Ｃは＋Ｙ方向から見た図であり、図１５Ｄは−Ｘ方向から見た図であり、図１５Ｅは−Ｙ方向から見た図であり、図１５Ｆは＋Ｚ方向から見た図であり、図１５Ｇは−Ｚ方向から見た図である。
【０１０５】
本実施例の蓋体２１５は、段差部２３の上面２３ａに、流出口３１５ａを有して外形がひょうたん形状（中央の部分がくびれた楕円形状）で筒形状の出口部３１５が構成されている。その他の構成は実施例１と同様に構成されている。
【０１０６】
実施例１５の出口部３１５を有する蓋体２１５、及び蓋体２１５を備えた液体収容容器１１５によっても、実施例１と同様の効果を奏することができる。
【０１０７】
＜実施例１６＞
実施例１６に係る蓋体２１６について、図１６Ａ〜図１６Ｇを用いて説明する。図１６Ａは実施例１６に係る蓋体２１６を示す斜視図である。図１６Ｂ〜図１６Ｇは、実施例１６に係る蓋体２１６を各軸方向から見た図である。
【０１０８】
ここで、各図において、相互に直交する座標軸であるＸＹＺ軸を付記する。なお、水平面に一致するＸＹ平面に蓋体２１６を配置した場合を基準とし、Ｚ軸は蓋体２１６の高さ方向に一致させている。
【０１０９】
詳細には、図１６Ｂは＋Ｘ方向から見た図であり、図１６Ｃは＋Ｙ方向から見た図であり、図１６Ｄは−Ｘ方向から見た図であり、図１６Ｅは−Ｙ方向から見た図であり、図１６Ｆは＋Ｚ方向から見た図であり、図１６Ｇは−Ｚ方向から見た図である。
【０１１０】
本実施例の蓋体２１６は、段差部２３の上面２３ａに、流出口３１６ａを有する出口部３１６が構成されている。出口部３１６は、上面２３ａから延びる円筒形状のベース部３１６ｂと、ベース部３１６ｂの先端部にベース部３１６ｂの外形より径が大きく形成される円板形状のフランジ部３１６ｃとで構成されている。その他の構成は実施例１と同様に構成されている。
【０１１１】
実施例１６の出口部３１６を有する蓋体２１６、及び蓋体２１６を備えた液体収容容器１１６によっても、実施例１と同様の効果を奏することができる。
【０１１２】
＜実施例１７＞
実施例１７に係る蓋体２１７について、図１７Ａ〜図１７Ｇを用いて説明する。図１７Ａは実施例１７に係る蓋体２１７を示す斜視図である。図１７Ｂ〜図１７Ｇは、実施例１７に係る蓋体２１７を各軸方向から見た図である。
【０１１３】
ここで、各図において、相互に直交する座標軸であるＸＹＺ軸を付記する。なお、水平面に一致するＸＹ平面に蓋体２１７を配置した場合を基準とし、Ｚ軸は蓋体２１７の高さ方向に一致させている。
【０１１４】
詳細には、図１７Ｂは＋Ｘ方向から見た図であり、図１７Ｃは＋Ｙ方向から見た図であり、図１７Ｄは−Ｘ方向から見た図であり、図１７Ｅは−Ｙ方向から見た図であり、図１７Ｆは＋Ｚ方向から見た図であり、図１７Ｇは−Ｚ方向から見た図である。
【０１１５】
本実施例の蓋体２１７は、段差部２３Ａが実施例１６の段差部２３と比較した場合、厚く構成されている。そして、段差部２３Ａの上面２３ａに、流出口３１７ａを有する出口部３１７が構成されている。出口部３１７は、上面２３ａから延びる円筒形状のベース部３１７ｂと、ベース部３１７ｂの先端部に、ベース部３１７ｂの外形より径が大きく、実施例１６のフランジ部３１６ｃよりも厚さが厚く形成されるフランジ部３１７ｃとで構成されている。その他の構成は実施例１６と同様に構成されている。
【０１１６】
実施例１７の出口部３１７を有する蓋体２１７、及び蓋体２１７を備えた液体収容容器１１７によっても、実施例１と同様の効果を奏することができる。
【０１１７】
＜実施例１８＞
実施例１８に係る蓋体２１８について、図１８Ａ〜図１８Ｇを用いて説明する。図１８Ａは実施例１８に係る蓋体２１８を示す斜視図である。図１８Ｂ〜図１８Ｇは、実施例１８に係る蓋体２１８を各軸方向から見た図である。
【０１１８】
ここで、各図において、相互に直交する座標軸であるＸＹＺ軸を付記する。なお、水平面に一致するＸＹ平面に蓋体２１８を配置した場合を基準とし、Ｚ軸は蓋体２１８の高さ方向に一致させている。
【０１１９】
詳細には、図１８Ｂは＋Ｘ方向から見た図であり、図１８Ｃは＋Ｙ方向から見た図であり、図１８Ｄは−Ｘ方向から見た図であり、図１８Ｅは−Ｙ方向から見た図であり、図１８Ｆは＋Ｚ方向から見た図であり、図１８Ｇは−Ｚ方向から見た図である。
【０１２０】
本実施例の蓋体２１８は、段差部２３の上面２３ａに、流出口３１８ａを有する出口部３１８が構成されている。出口部３１８は、上面２３ａから延びる円筒形状の段部３１８ｃと、段部３１８ｃから上方向に延び、段部３１８ｃの外形より径が小さく形成される円筒形状のベース部３１８ｂとで構成されている。その他の構成は実施例１と同様に構成されている。
【０１２１】
実施例１８の出口部３１８を有する蓋体２１８、及び蓋体２１８を備えた液体収容容器１１８によっても、実施例１と同様の効果を奏することができる。
【０１２２】
＜実施例１９＞
実施例１９に係る蓋体２１９について、図１９Ａ〜図１９Ｇを用いて説明する。図１９Ａは実施例１９に係る蓋体２１９を示す斜視図である。図１９Ｂ〜図１９Ｇは、実施例１９に係る蓋体２１９を各軸方向から見た図である。
【０１２３】
ここで、各図において、相互に直交する座標軸であるＸＹＺ軸を付記する。なお、水平面に一致するＸＹ平面に蓋体２１９を配置した場合を基準とし、Ｚ軸は蓋体２１９の高さ方向に一致させている。
【０１２４】
詳細には、図１９Ｂは＋Ｘ方向から見た図であり、図１９Ｃは＋Ｙ方向から見た図であり、図１９Ｄは−Ｘ方向から見た図であり、図１９Ｅは−Ｙ方向から見た図であり、図１９Ｆは＋Ｚ方向から見た図であり、図１９Ｇは−Ｚ方向から見た図である。
【０１２５】
本実施例の蓋体２１９は、実施例１８の蓋体２１８と比較した場合、実施例１８のベース部３１８ｂの外形が同一の径を有して形成されることに比べて、出口部３１９のベース部３１９ｂが、段部３１９ｃの先端部の外周からベース部３１９ｂの先端部にかけて逆Ｒの曲面形状に構成されている。その他の構成は実施例１８と同様に構成されている。
【０１２６】
実施例１９の出口部３１９を有する蓋体２１９、及び蓋体２１９を備えた液体収容容器１１９によっても、実施例１と同様の効果を奏することができる。
【０１２７】
＜実施例２０＞
実施例２０に係る蓋体２２０について、図２０Ａ〜図２０Ｇを用いて説明する。図２０Ａは実施例２０に係る蓋体２２０を示す斜視図である。図２０Ｂ〜図２０Ｇは、実施例２０に係る蓋体２２０を各軸方向から見た図である。
【０１２８】
ここで、各図において、相互に直交する座標軸であるＸＹＺ軸を付記する。なお、水平面に一致するＸＹ平面に蓋体２２０を配置した場合を基準とし、Ｚ軸は蓋体２２０の高さ方向に一致させている。
【０１２９】
詳細には、図２０Ｂは＋Ｘ方向から見た図であり、図２０Ｃは＋Ｙ方向から見た図であり、図２０Ｄは−Ｘ方向から見た図であり、図２０Ｅは−Ｙ方向から見た図であり、図２０Ｆは＋Ｚ方向から見た図であり、図２０Ｇは−Ｚ方向から見た図である。
【０１３０】
本実施例の蓋体２２０は、実施例１８の蓋体２１８と比較した場合、実施例１８のベース部３１８ｂの外形が同一の径を有して形成されることに比べて、出口部３２０のベース部３２０ｂにおいて、段部３２０ｃの先端部の外周からベース部３２０ｂにかけてテーパー形状に形成される傾斜面部３２０ｄが構成されている。その他の構成は実施例１８と同様に構成されている。
【０１３１】
実施例２０の出口部３２０を有する蓋体２２０、及び蓋体２２０を備えた液体収容容器１２０によっても、実施例１と同様の効果を奏することができる。
【０１３２】
＜実施例２１＞
実施例２１に係る蓋体２２１について、図２１Ａ〜図２１Ｇを用いて説明する。図２１Ａは実施例２１に係る蓋体２２１を示す斜視図である。図２１Ｂ〜図２１Ｇは、実施例２１に係る蓋体２２１を各軸方向から見た図である。
【０１３３】
ここで、各図において、相互に直交する座標軸であるＸＹＺ軸を付記する。なお、水平面に一致するＸＹ平面に蓋体２２１を配置した場合を基準とし、Ｚ軸は蓋体２２１の高さ方向に一致させている。
【０１３４】
詳細には、図２１Ｂは＋Ｘ方向から見た図であり、図２１Ｃは＋Ｙ方向から見た図であり、図２１Ｄは−Ｘ方向から見た図であり、図２１Ｅは−Ｙ方向から見た図であり、図２１Ｆは＋Ｚ方向から見た図であり、図２１Ｇは−Ｚ方向から見た図である。
【０１３５】
本実施例の蓋体２２１は、段差部２３の上面２３ａに、流出口３２１ａを有する出口部３２１が構成されている。出口部３２１は、上面２３ａに概ね球面形状を有する漏斗を反対にして設置した状態の形状に構成されている。その他の構成は実施例１と同様に構成されている。
【０１３６】
実施例２１の出口部３２１を有する蓋体２２１、及び蓋体２２１を備えた液体収容容器１２１によっても、実施例１と同様の効果を奏することができる。
【０１３７】
＜実施例２２＞
実施例２２に係る蓋体２２２について、図２２Ａ〜図２２Ｇを用いて説明する。図２２Ａは実施例２２に係る蓋体２２２を示す斜視図である。図２２Ｂ〜図２２Ｇは、実施例２２に係る蓋体２２２を各軸方向から見た図である。
【０１３８】
ここで、各図において、相互に直交する座標軸であるＸＹＺ軸を付記する。なお、水平面に一致するＸＹ平面に蓋体２２２を配置した場合を基準とし、Ｚ軸は蓋体２２２の高さ方向に一致させている。
【０１３９】
詳細には、図２２Ｂは＋Ｘ方向から見た図であり、図２２Ｃは＋Ｙ方向から見た図であり、図２２Ｄは−Ｘ方向から見た図であり、図２２Ｅは−Ｙ方向から見た図であり、図２２Ｆは＋Ｚ方向から見た図であり、図２２Ｇは−Ｚ方向から見た図である。
【０１４０】
本実施例の蓋体２２２は、段差部２３の上面２３ａに、流出口３２２ａを有する円筒形状となる出口部３２２が構成されている。そして、出口部３２２の先端部には、出口部の外形より小さい径で突出して段を形成する段部３２２ｂが構成されている。言い換えると、出口部３２２は段部３２２ｂを含んで構成されている。その他の構成は実施例１と同様に構成されている。
【０１４１】
実施例２２の出口部３２２を有する蓋体２２２、及び蓋体２２２を備えた液体収容容器１２２によっても、実施例１と同様の効果を奏することができる。
【０１４２】
＜実施例２３＞
実施例２３に係る蓋体２２３について、図２３Ａ〜図２３Ｇを用いて説明する。図２３Ａは実施例２３に係る蓋体２２３を示す斜視図である。図２３Ｂ〜図２３Ｇは、実施例２３に係る蓋体２２３を各軸方向から見た図である。
【０１４３】
ここで、各図において、相互に直交する座標軸であるＸＹＺ軸を付記する。なお、水平面に一致するＸＹ平面に蓋体２２３を配置した場合を基準とし、Ｚ軸は蓋体２２３の高さ方向に一致させている。
【０１４４】
詳細には、図２３Ｂは＋Ｘ方向から見た図であり、図２３Ｃは＋Ｙ方向から見た図であり、図２３Ｄは−Ｘ方向から見た図であり、図２３Ｅは−Ｙ方向から見た図であり、図２３Ｆは＋Ｚ方向から見た図であり、図２３Ｇは−Ｚ方向から見た図である。
【０１４５】
本実施例の蓋体２２３は、実施例２２の蓋体２２２と比較した場合、流出口３２３ａを有する円筒形状となる出口部３２３の先端部に形成される段部３２３ｂが、実施例２２の段部３２２ｂを２分割した状態に構成されている。その他の構成は実施例２２と同様に構成されている。
【０１４６】
実施例２３の出口部３２３を有する蓋体２２３、及び蓋体２２３を備えた液体収容容器１２３によっても、実施例１と同様の効果を奏することができる。
【０１４７】
＜実施例２４＞
実施例２４に係る蓋体２２４について、図２４Ａ〜図２４Ｇを用いて説明する。図２４Ａは実施例２４に係る蓋体２２４を示す斜視図である。図２４Ｂ〜図２４Ｇは、実施例２４に係る蓋体２２４を各軸方向から見た図である。
【０１４８】
ここで、各図において、相互に直交する座標軸であるＸＹＺ軸を付記する。なお、水平面に一致するＸＹ平面に蓋体２２４を配置した場合を基準とし、Ｚ軸は蓋体２２４の高さ方向に一致させている。
【０１４９】
詳細には、図２４Ｂは＋Ｘ方向から見た図であり、図２４Ｃは＋Ｙ方向から見た図であり、図２４Ｄは−Ｘ方向から見た図であり、図２４Ｅは−Ｙ方向から見た図であり、図２４Ｆは＋Ｚ方向から見た図であり、図２４Ｇは−Ｚ方向から見た図である。
【０１５０】
本実施例の蓋体２２４は、実施例２２の蓋体２２２と比較した場合、流出口３２４ａを有する円筒形状となる出口部３２４の先端部に形成される段部３２４ｂが、実施例２２の段部３２２ｂを４分割した状態に構成されている。その他の構成は実施例２２と同様に構成されている。
【０１５１】
実施例２４の出口部３２４を有する蓋体２２４、及び蓋体２２４を備えた液体収容容器１２４によっても、実施例１と同様の効果を奏することができる。
【０１５２】
＜実施例２５＞
実施例２５に係る蓋体２２５について、図２５Ａ〜図２５Ｇを用いて説明する。図２５Ａは実施例２５に係る蓋体２２５を示す斜視図である。図２５Ｂ〜図２５Ｇは、実施例２５に係る蓋体２２５を各軸方向から見た図である。
【０１５３】
ここで、各図において、相互に直交する座標軸であるＸＹＺ軸を付記する。なお、水平面に一致するＸＹ平面に蓋体２２５を配置した場合を基準とし、Ｚ軸は蓋体２２５の高さ方向に一致させている。
【０１５４】
詳細には、図２５Ｂは＋Ｘ方向から見た図であり、図２５Ｃは＋Ｙ方向から見た図であり、図２５Ｄは−Ｘ方向から見た図であり、図２５Ｅは−Ｙ方向から見た図であり、図２５Ｆは＋Ｚ方向から見た図であり、図２５Ｇは−Ｚ方向から見た図である。
【０１５５】
本実施例の蓋体２２５は、段差部２３の上面２３ａに、流出口３２５ａを有する円筒形状となる出口部３２５が構成されている。そして、出口部３２５の外周面には、上面２３ａから出口部３２５の途中にかけて外側に若干突出する４つの突起部３２５ｂが形成されている。その他の構成は実施例１と同様に構成されている。
【０１５６】
実施例２５の出口部３２５を有する蓋体２２５、及び蓋体２２５を備えた液体収容容器１２５によっても、実施例１と同様の効果を奏することができる。
【０１５７】
＜実施例２６＞
実施例２６に係る蓋体２２６について、図２６Ａ〜図２６Ｇを用いて説明する。図２６Ａは実施例２６に係る蓋体２２６を示す斜視図である。図２６Ｂ〜図２６Ｇは、実施例２６に係る蓋体２２６を各軸方向から見た図である。
【０１５８】
ここで、各図において、相互に直交する座標軸であるＸＹＺ軸を付記する。なお、水平面に一致するＸＹ平面に蓋体２２６を配置した場合を基準とし、Ｚ軸は蓋体２２６の高さ方向に一致させている。
【０１５９】
詳細には、図２６Ｂは＋Ｘ方向から見た図であり、図２６Ｃは＋Ｙ方向から見た図であり、図２６Ｄは−Ｘ方向から見た図であり、図２６Ｅは−Ｙ方向から見た図であり、図２６Ｆは＋Ｚ方向から見た図であり、図２６Ｇは−Ｚ方向から見た図である。
【０１６０】
本実施例の蓋体２２６は、実施例２５の蓋体２２５と比較した場合、流出口３２６ａを有する円筒形状となる出口部３２６の外周面に、実施例２５の突起部３２５ｂと同様の突起部３２６ｂが８つ形成されている。その他の構成は実施例２５と同様に構成されている。
【０１６１】
実施例２６の出口部３２６を有する蓋体２２６、及び蓋体２２６を備えた液体収容容器１２６によっても、実施例１と同様の効果を奏することができる。
【０１６２】
＜実施例２７＞
実施例２７に係る蓋体２２７について、図２７Ａ〜図２７Ｇを用いて説明する。図２７Ａは実施例２７に係る蓋体２２７を示す斜視図である。図２７Ｂ〜図２７Ｇは、実施例２７に係る蓋体２２７を各軸方向から見た図である。
【０１６３】
ここで、各図において、相互に直交する座標軸であるＸＹＺ軸を付記する。なお、水平面に一致するＸＹ平面に蓋体２２７を配置した場合を基準とし、Ｚ軸は蓋体２２７の高さ方向に一致させている。
【０１６４】
詳細には、図２７Ｂは＋Ｘ方向から見た図であり、図２７Ｃは＋Ｙ方向から見た図であり、図２７Ｄは−Ｘ方向から見た図であり、図２７Ｅは−Ｙ方向から見た図であり、図２７Ｆは＋Ｚ方向から見た図であり、図２７Ｇは−Ｚ方向から見た図である。
【０１６５】
本実施例の蓋体２２７は、段差部２３の上面２３ａに、流出口３２７ａを有する円筒形状となる出口部３２７が構成されている。そして、出口部３２７の外周面には、上面２３ａから出口部３２７の先端部にかけて、平坦面となる平坦面部３２７ｂが１つ形成されている。その他の構成は実施例１と同様に構成されている。
【０１６６】
実施例２７の出口部３２７を有する蓋体２２７、及び蓋体２２７を備えた液体収容容器１２７によっても、実施例１と同様の効果を奏することができる。
【０１６７】
＜実施例２８＞
実施例２８に係る蓋体２２８について、図２８Ａ〜図２８Ｇを用いて説明する。図２８Ａは実施例２８に係る蓋体２２８を示す斜視図である。図２８Ｂ〜図２８Ｇは、実施例２８に係る蓋体２２８を各軸方向から見た図である。
【０１６８】
ここで、各図において、相互に直交する座標軸であるＸＹＺ軸を付記する。なお、水平面に一致するＸＹ平面に蓋体２２８を配置した場合を基準とし、Ｚ軸は蓋体２２８の高さ方向に一致させている。
【０１６９】
詳細には、図２８Ｂは＋Ｘ方向から見た図であり、図２８Ｃは＋Ｙ方向から見た図であり、図２８Ｄは−Ｘ方向から見た図であり、図２８Ｅは−Ｙ方向から見た図であり、図２８Ｆは＋Ｚ方向から見た図であり、図２８Ｇは−Ｚ方向から見た図である。
【０１７０】
本実施例の蓋体２２８は、実施例２７の蓋体２２７と比較した場合、流出口３２８ａを有する円筒形状となる出口部３２８の外周面に、実施例２７の平坦面部３２７ｂと同様の平坦面部３２８ｂが２つ形成されている。その他の構成は実施例２７と同様に構成されている。
【０１７１】
実施例２８の出口部３２８を有する蓋体２２８、及び蓋体２２８を備えた液体収容容器１２８によっても、実施例１と同様の効果を奏することができる。
【０１７２】
＜実施例２９＞
実施例２９に係る蓋体２２９について、図２９Ａ〜図２９Ｇを用いて説明する。図２９Ａは実施例２９に係る蓋体２２９を示す斜視図である。図２９Ｂ〜図２９Ｇは、実施例２９に係る蓋体２２９を各軸方向から見た図である。
【０１７３】
ここで、各図において、相互に直交する座標軸であるＸＹＺ軸を付記する。なお、水平面に一致するＸＹ平面に蓋体２２９を配置した場合を基準とし、Ｚ軸は蓋体２２９の高さ方向に一致させている。
【０１７４】
詳細には、図２９Ｂは＋Ｘ方向から見た図であり、図２９Ｃは＋Ｙ方向から見た図であり、図２９Ｄは−Ｘ方向から見た図であり、図２９Ｅは−Ｙ方向から見た図であり、図２９Ｆは＋Ｚ方向から見た図であり、図２９Ｇは−Ｚ方向から見た図である。
【０１７５】
本実施例の蓋体２２９は、実施例２７の蓋体２２７と比較した場合、流出口３２９ａを有する円筒形状となる出口部３２９の外周面に、実施例２７の平坦面部３２７ｂと同様の平坦面部３２９ｂが４つ形成されている。その他の構成は実施例２７と同様に構成されている。
【０１７６】
実施例２９の出口部３２９を有する蓋体２２９、及び蓋体２２９を備えた液体収容容器１２９によっても、実施例１と同様の効果を奏することができる。
【０１７７】
＜実施例３０＞
実施例３０に係る蓋体２３０について、図３０Ａ〜図３０Ｇを用いて説明する。図３０Ａは実施例３０に係る蓋体２３０を示す斜視図である。図３０Ｂ〜図３０Ｇは、実施例３０に係る蓋体２３０を各軸方向から見た図である。
【０１７８】
ここで、各図において、相互に直交する座標軸であるＸＹＺ軸を付記する。なお、水平面に一致するＸＹ平面に蓋体２３０を配置した場合を基準とし、Ｚ軸は蓋体２３０の高さ方向に一致させている。
【０１７９】
詳細には、図３０Ｂは＋Ｘ方向から見た図であり、図３０Ｃは＋Ｙ方向から見た図であり、図３０Ｄは−Ｘ方向から見た図であり、図３０Ｅは−Ｙ方向から見た図であり、図３０Ｆは＋Ｚ方向から見た図であり、図３０Ｇは−Ｚ方向から見た図である。
【０１８０】
本実施例の蓋体２３０は、実施例２７の蓋体２２７と比較した場合、流出口３３０ａを有する筒形状となる出口部３３０の外周面に、実施例２７の平坦面部３２７ｂと同様の平坦面部３３０ｂが８つ形成されている。言い換えると、出口部３３０の外周面は、８つの平坦面部３３０ｂで構成されている。その他の構成は実施例２７と同様に構成されている。
【０１８１】
実施例３０の出口部３３０を有する蓋体２３０、及び蓋体２３０を備えた液体収容容器１３０によっても、実施例１と同様の効果を奏することができる。
【０１８２】
＜実施例３１＞
実施例３１に係る蓋体２３１について、図３１Ａ〜図３１Ｇを用いて説明する。図３１Ａは実施例３１に係る蓋体２３１を示す斜視図である。図３１Ｂ〜図３１Ｇは、実施例３１に係る蓋体２３１を各軸方向から見た図である。
【０１８３】
ここで、各図において、相互に直交する座標軸であるＸＹＺ軸を付記する。なお、水平面に一致するＸＹ平面に蓋体２３１を配置した場合を基準とし、Ｚ軸は蓋体２３１の高さ方向に一致させている。
【０１８４】
詳細には、図３１Ｂは＋Ｘ方向から見た図であり、図３１Ｃは＋Ｙ方向から見た図であり、図３１Ｄは−Ｘ方向から見た図であり、図３１Ｅは−Ｙ方向から見た図であり、図３１Ｆは＋Ｚ方向から見た図であり、図３１Ｇは−Ｚ方向から見た図である。
【０１８５】
本実施例の蓋体２３１は、段差部２３の上面２３ａに、流出口３３１ａを有する円筒形状となる出口部３３１が構成されている。そして、出口部３３１は、先端部に至るまでの途中から斜め方向に屈曲して形成されている。その他の構成は実施例１と同様に構成されている。
【０１８６】
実施例３１の出口部３３１を有する蓋体２３１、及び蓋体２３１を備えた液体収容容器１３１によっても、実施例１と同様の効果を奏することができる。
【０１８７】
＜実施例３２＞
実施例３２に係る蓋体２３２について、図３２Ａ〜図３２Ｇを用いて説明する。図３２Ａは実施例３２に係る蓋体２３２を示す斜視図である。図３２Ｂ〜図３２Ｇは、実施例３２に係る蓋体２３２を各軸方向から見た図である。
【０１８８】
ここで、各図において、相互に直交する座標軸であるＸＹＺ軸を付記する。なお、水平面に一致するＸＹ平面に蓋体２３２を配置した場合を基準とし、Ｚ軸は蓋体２３２の高さ方向に一致させている。
【０１８９】
詳細には、図３２Ｂは＋Ｘ方向から見た図であり、図３２Ｃは＋Ｙ方向から見た図であり、図３２Ｄは−Ｘ方向から見た図であり、図３２Ｅは−Ｙ方向から見た図であり、図３２Ｆは＋Ｚ方向から見た図であり、図３２Ｇは−Ｚ方向から見た図である。
【０１９０】
本実施例の蓋体２３２は、実施例３１の蓋体２３１と比較した場合、流出口３３２ａを有する円筒形状となる出口部３３２において、実施例３１の出口部３３１よりも、更に屈曲して形成されている。その他の構成は実施例３１と同様に構成されている。
【０１９１】
実施例３２の出口部３３２を有する蓋体２３２、及び蓋体２３２を備えた液体収容容器１３２によっても、実施例１と同様の効果を奏することができる。
【０１９２】
＜実施例３３＞
実施例３３に係る蓋体２３３について、図３３Ａ〜図３３Ｇを用いて説明する。図３３Ａは実施例３３に係る蓋体２３３を示す斜視図である。図３３Ｂ〜図３３Ｇは、実施例３３に係る蓋体２３３を各軸方向から見た図である。
【０１９３】
ここで、各図において、相互に直交する座標軸であるＸＹＺ軸を付記する。なお、水平面に一致するＸＹ平面に蓋体２３３を配置した場合を基準とし、Ｚ軸は蓋体２３３の高さ方向に一致させている。
【０１９４】
詳細には、図３３Ｂは＋Ｘ方向から見た図であり、図３３Ｃは＋Ｙ方向から見た図であり、図３３Ｄは−Ｘ方向から見た図であり、図３３Ｅは−Ｙ方向から見た図であり、図３３Ｆは＋Ｚ方向から見た図であり、図３３Ｇは−Ｚ方向から見た図である。
【０１９５】
本実施例の蓋体２３３は、実施例３１の蓋体２３１と比較した場合、流出口３３３ａを有する円筒形状となる出口部３３３において、実施例３１の出口部３３１と同様に、先端部に至るまでの途中から斜め方向に屈曲して形成されており、異なるのは、出口部３３３の先端部が先細り形状となるように形成されていることである。その他の構成は実施例３１と同様に構成されている。
【０１９６】
実施例３３の出口部３３３を有する蓋体２３３、及び蓋体２３３を備えた液体収容容器１３３によっても、実施例１と同様の効果を奏することができる。
【０１９７】
＜実施例３４＞
実施例３４に係る蓋体２３４について、図３４Ａ〜図３４Ｇを用いて説明する。図３４Ａは実施例３４に係る蓋体２３４を示す斜視図である。図３４Ｂ〜図３４Ｇは、実施例３４に係る蓋体２３４を各軸方向から見た図である。
【０１９８】
ここで、各図において、相互に直交する座標軸であるＸＹＺ軸を付記する。なお、水平面に一致するＸＹ平面に蓋体２３４を配置した場合を基準とし、Ｚ軸は蓋体２３４の高さ方向に一致させている。
【０１９９】
詳細には、図３４Ｂは＋Ｘ方向から見た図であり、図３４Ｃは＋Ｙ方向から見た図であり、図３４Ｄは−Ｘ方向から見た図であり、図３４Ｅは−Ｙ方向から見た図であり、図３４Ｆは＋Ｚ方向から見た図であり、図３４Ｇは−Ｚ方向から見た図である。
【０２００】
本実施例の蓋体２３４は、段差部２３の上面２３ａに、流出口３３４ａを有する矩形の筒形状となる出口部３３４が構成されている。そして、出口部３３４は、先端部に至るまでの途中から斜め方向に屈曲して形成されている。その他の構成は実施例１と同様に構成されている。
【０２０１】
実施例３４の出口部３３４を有する蓋体２３４、及び蓋体２３４を備えた液体収容容器１３４によっても、実施例１と同様の効果を奏することができる。
【０２０２】
＜実施例３５＞
実施例３５に係る蓋体２３５について、図３５Ａ〜図３５Ｇを用いて説明する。図３５Ａは実施例３５に係る蓋体２３５を示す斜視図である。図３５Ｂ〜図３５Ｇは、実施例３５に係る蓋体２３５を各軸方向から見た図である。
【０２０３】
ここで、各図において、相互に直交する座標軸であるＸＹＺ軸を付記する。なお、水平面に一致するＸＹ平面に蓋体２３５を配置した場合を基準とし、Ｚ軸は蓋体２３５の高さ方向に一致させている。
【０２０４】
詳細には、図３５Ｂは＋Ｘ方向から見た図であり、図３５Ｃは＋Ｙ方向から見た図であり、図３５Ｄは−Ｘ方向から見た図であり、図３５Ｅは−Ｙ方向から見た図であり、図３５Ｆは＋Ｚ方向から見た図であり、図３５Ｇは−Ｚ方向から見た図である。
【０２０５】
本実施例の蓋体２３５は、実施例３４の蓋体２３４と比較した場合、流出口３３５ａを有する矩形の筒形状となる出口部３３５において、実施例３４の出口部３３４よりも、更に屈曲して形成されている。その他の構成は実施例３４と同様に構成されている。
【０２０６】
実施例３５の出口部３３５を有する蓋体２３５、及び蓋体２３５を備えた液体収容容器１３５によっても、実施例１と同様の効果を奏することができる。
【０２０７】
＜実施例３６＞
実施例３６に係る蓋体２３６について、図３６Ａ〜図３６Ｇを用いて説明する。図３６Ａは実施例３６に係る蓋体２３６を示す斜視図である。図３６Ｂ〜図３６Ｇは、実施例３６に係る蓋体２３６を各軸方向から見た図である。
【０２０８】
ここで、各図において、相互に直交する座標軸であるＸＹＺ軸を付記する。なお、水平面に一致するＸＹ平面に蓋体２３６を配置した場合を基準とし、Ｚ軸は蓋体２３６の高さ方向に一致させている。
【０２０９】
詳細には、図３６Ｂは＋Ｘ方向から見た図であり、図３６Ｃは＋Ｙ方向から見た図であり、図３６Ｄは−Ｘ方向から見た図であり、図３６Ｅは−Ｙ方向から見た図であり、図３６Ｆは＋Ｚ方向から見た図であり、図３６Ｇは−Ｚ方向から見た図である。
【０２１０】
本実施例の蓋体２３６は、段差部２３の上面２３ａに、流出口３３６ａを有して先端方向に先細りする半円形状の筒形状となる出口部３３６で構成されている。なお、出口部３３６は、半円形状の弧の領域となる外周面が逆Ｒの曲面形状で形成されている。その他の構成は実施例１と同様に構成されている。
【０２１１】
実施例３６の出口部３３６を有する蓋体２３６、及び蓋体２３６を備えた液体収容容器１３６によっても、実施例１と同様の効果を奏することができる。
【０２１２】
＜実施例３７＞
実施例３７に係る蓋体２３７について、図３７Ａ〜図３７Ｇを用いて説明する。図３７Ａは実施例３７に係る蓋体２３７を示す斜視図である。図３７Ｂ〜図３７Ｇは、実施例３７に係る蓋体２３７を各軸方向から見た図である。
【０２１３】
ここで、各図において、相互に直交する座標軸であるＸＹＺ軸を付記する。なお、水平面に一致するＸＹ平面に蓋体２３７を配置した場合を基準とし、Ｚ軸は蓋体２３７の高さ方向に一致させている。
【０２１４】
詳細には、図３７Ｂは＋Ｘ方向から見た図であり、図３７Ｃは＋Ｙ方向から見た図であり、図３７Ｄは−Ｘ方向から見た図であり、図３７Ｅは−Ｙ方向から見た図であり、図３７Ｆは＋Ｚ方向から見た図であり、図３７Ｇは−Ｚ方向から見た図である。
【０２１５】
本実施例の蓋体２３７は、段差部２３の上面２３ａに、流出口３３７ａを有して先端方向に先細りする円筒形状となる出口部３３７で構成されている。そして、出口部３３７は、先端部が２つに分岐している。分岐した各出口部３３７は、それぞれ半円形状の筒形状で、半円形の弦の領域が向かい合わせとなるように形成され、それぞれ流出口３３７ａを有している。言い換えると、出口部３３７は、実施例３６の出口部３３６が２つ向かい合わせに合体した形状に構成されている。その他の構成は実施例３６と同様に構成されている。
【０２１６】
実施例３７の出口部３３７を有する蓋体２３７、及び蓋体２３７を備えた液体収容容器１３７によっても、実施例１と同様の効果を奏することができる。
【０２１７】
＜実施例３８＞
実施例３８に係る蓋体２３８について、図３８Ａ〜図３８Ｇを用いて説明する。図３８Ａは実施例３８に係る蓋体２３８を示す斜視図である。図３８Ｂ〜図３８Ｇは、実施例３８に係る蓋体２３８を各軸方向から見た図である。
【０２１８】
ここで、各図において、相互に直交する座標軸であるＸＹＺ軸を付記する。なお、水平面に一致するＸＹ平面に蓋体２３８を配置した場合を基準とし、Ｚ軸は蓋体２３８の高さ方向に一致させている。
【０２１９】
詳細には、図３８Ｂは＋Ｘ方向から見た図であり、図３８Ｃは＋Ｙ方向から見た図であり、図３８Ｄは−Ｘ方向から見た図であり、図３８Ｅは−Ｙ方向から見た図であり、図３８Ｆは＋Ｚ方向から見た図であり、図３８Ｇは−Ｚ方向から見た図である。
【０２２０】
本実施例の蓋体２３８は、段差部２３の上面２３ａに、流出口３３８ａを有して半円形状の筒形状となる２つの出口部３３８が、半円形状の弦の領域を隙間を有して向い合せて突出する状態に構成されている。その他の構成は実施例１と同様に構成されている。
【０２２１】
実施例３８の出口部３３８を有する蓋体２３８、及び蓋体２３８を備えた液体収容容器１３８によっても、実施例１と同様の効果を奏することができる。
【０２２２】
＜実施例３９＞
実施例３９に係る蓋体２３９について、図３９Ａ〜図３９Ｇを用いて説明する。図３９Ａは実施例３９に係る蓋体２３９を示す斜視図である。図３９Ｂ〜図３９Ｇは、実施例３９に係る蓋体２３９を各軸方向から見た図である。
【０２２３】
ここで、各図において、相互に直交する座標軸であるＸＹＺ軸を付記する。なお、水平面に一致するＸＹ平面に蓋体２３９を配置した場合を基準とし、Ｚ軸は蓋体２３９の高さ方向に一致させている。
【０２２４】
詳細には、図３９Ｂは＋Ｘ方向から見た図であり、図３９Ｃは＋Ｙ方向から見た図であり、図３９Ｄは−Ｘ方向から見た図であり、図３９Ｅは−Ｙ方向から見た図であり、図３９Ｆは＋Ｚ方向から見た図であり、図３９Ｇは−Ｚ方向から見た図である。
【０２２５】
本実施例の蓋体２３９は、段差部２３の上面２３ａに、流出口３３９ａを有する円筒形状となる出口部３３９が構成されている。また、出口部３３９は、弾性部材で構成されている。従って、出口部３３９は柔らかく形成されている。その他の構成は実施例１と同様に構成されている。
【０２２６】
実施例３９の出口部３３９を有する蓋体２３９、及び蓋体２３９を備えた液体収容容器１３９によっても、実施例１と同様の効果を奏することができる。
【０２２７】
＜実施例４０＞
実施例４０に係る蓋体２４０について、図４０Ａ〜図４０Ｇを用いて説明する。図４０Ａは実施例４０に係る蓋体２４０を示す斜視図である。図４０Ｂ〜図４０Ｇは、実施例４０に係る蓋体２４０を各軸方向から見た図である。
【０２２８】
ここで、各図において、相互に直交する座標軸であるＸＹＺ軸を付記する。なお、水平面に一致するＸＹ平面に蓋体２４０を配置した場合を基準とし、Ｚ軸は蓋体２４０の高さ方向に一致させている。
【０２２９】
詳細には、図４０Ｂは＋Ｘ方向から見た図であり、図４０Ｃは＋Ｙ方向から見た図であり、図４０Ｄは−Ｘ方向から見た図であり、図４０Ｅは−Ｙ方向から見た図であり、図４０Ｆは＋Ｚ方向から見た図であり、図４０Ｇは−Ｚ方向から見た図である。
【０２３０】
本実施例の蓋体２４０は、段差部２３の上面２３ａに、流出口３４０ａを有して円筒形状となる出口部３４０が構成されている。詳細には、出口部３４０は、実施例３９の出口部３３９と同様に形成されるベース部３４０ｂと、ベース部３４０ｂの先端部側にベース部３４０ｂの外形より若干大きく形成されるフランジ部３４０ｃとで構成されている。なお、ベース部３４０ｂは、実施例３９の出口部３３９と同様に弾性部材で構成されている。フランジ部３４０ｃは剛性を有している。その他の構成は実施例３９と同様に構成されている。
【０２３１】
実施例４０の出口部３４０を有する蓋体２４０、及び蓋体２４０を備えた液体収容容器１４０によっても、実施例１と同様の効果を奏することができる。
【０２３２】
＜実施例４１＞
実施例４１に係る蓋体２４１について、図４１Ａ〜図４１Ｇを用いて説明する。図４１Ａは実施例４１に係る蓋体２４１を示す斜視図である。図４１Ｂ〜図４１Ｇは、実施例４１に係る蓋体２４１を各軸方向から見た図である。
【０２３３】
ここで、各図において、相互に直交する座標軸であるＸＹＺ軸を付記する。なお、水平面に一致するＸＹ平面に蓋体２４１を配置した場合を基準とし、Ｚ軸は蓋体２４１の高さ方向に一致させている。
【０２３４】
詳細には、図４１Ｂは＋Ｘ方向から見た図であり、図４１Ｃは＋Ｙ方向から見た図であり、図４１Ｄは−Ｘ方向から見た図であり、図４１Ｅは−Ｙ方向から見た図であり、図４１Ｆは＋Ｚ方向から見た図であり、図４１Ｇは−Ｚ方向から見た図である。
【０２３５】
本実施例の蓋体２４１は、段差部２３の上面２３ａに、流出口３４１ａを有する概円筒形状となる出口部３４１が構成されている。詳細には、出口部３４１は、円筒形状となるベース部３４１ｂと、ベース部３４１ｂの先端部に至るまでの途中の領域に設置される蛇腹形状の蛇腹部３４１ｃとで構成されている。その他の構成は実施例１と同様に構成されている。
【０２３６】
実施例４１の出口部３４１を有する蓋体２４１、及び蓋体２４１を備えた液体収容容器１４１によっても、実施例１と同様の効果を奏することができる。
【０２３７】
＜実施例４２＞
実施例４２に係る蓋体２４２について、図４２Ａ〜図４２Ｇを用いて説明する。図４２Ａは実施例４２に係る蓋体２４２を示す斜視図である。図４２Ｂ〜図４２Ｇは、実施例４２に係る蓋体２４２を各軸方向から見た図である。
【０２３８】
ここで、各図において、相互に直交する座標軸であるＸＹＺ軸を付記する。なお、水平面に一致するＸＹ平面に蓋体２４２を配置した場合を基準とし、Ｚ軸は蓋体２４２の高さ方向に一致させている。
【０２３９】
詳細には、図４２Ｂは＋Ｘ方向から見た図であり、図４２Ｃは＋Ｙ方向から見た図であり、図４２Ｄは−Ｘ方向から見た図であり、図４２Ｅは−Ｙ方向から見た図であり、図４２Ｆは＋Ｚ方向から見た図であり、図４２Ｇは−Ｚ方向から見た図である。
【０２４０】
本実施例の蓋体２４２は、段差部２３の上面２３ａに、流出口３４２ａを有する円筒形状となる出口部３４２が構成されている。詳細には、出口部３４２は、円筒形状となるベース部３４２ｂと、ベース部３４２ｂの先端部の外周面から外側に羽根状に突出し、ベース部３４２ｂの途中まで至る羽根部３４２ｃとで構成されている。羽根部３４２ｃは２つ形成されている。羽根部３４２ｃは、下方側が逆Ｒ形状で形成されている。その他の構成は実施例１と同様に構成されている。
【０２４１】
実施例４２の出口部３４２を有する蓋体２４２、及び蓋体２４２を備えた液体収容容器１４２によっても、実施例１と同様の効果を奏することができる。
【０２４２】
＜実施例４３＞
実施例４３に係る蓋体２４３について、図４３Ａ〜図４３Ｇを用いて説明する。図４３Ａは実施例４３に係る蓋体２４３を示す斜視図である。図４３Ｂ〜図４３Ｇは、実施例４３に係る蓋体２４３を各軸方向から見た図である。
【０２４３】
ここで、各図において、相互に直交する座標軸であるＸＹＺ軸を付記する。なお、水平面に一致するＸＹ平面に蓋体２４３を配置した場合を基準とし、Ｚ軸は蓋体２４３の高さ方向に一致させている。
【０２４４】
詳細には、図４３Ｂは＋Ｘ方向から見た図であり、図４３Ｃは＋Ｙ方向から見た図であり、図４３Ｄは−Ｘ方向から見た図であり、図４３Ｅは−Ｙ方向から見た図であり、図４３Ｆは＋Ｚ方向から見た図であり、図４３Ｇは−Ｚ方向から見た図である。
【０２４５】
本実施例の蓋体２４３は、段差部２３の上面２３ａに、流出口３４３ａを有する円筒形状となる出口部３４３が構成されている。詳細には、出口部３４３は、実施例４２のベース部３４２ｂと同様に円筒形状となるベース部３４３ｂと、ベース部３４３ｂの先端部の外周面から外側に羽根状に突出し、ベース部３４３ｂの途中まで至る羽根部３４３ｃとで構成されている。羽根部３４３ｃは２つ形成されている。羽根部３４３ｃは、下方側がＲ形状で形成されている。その他の構成は実施例４２と同様に構成されている。
【０２４６】
実施例４３の出口部３４３を有する蓋体２４３、及び蓋体２４３を備えた液体収容容器１４３によっても、実施例１と同様の効果を奏することができる。
【０２４７】
＜実施例４４＞
実施例４４に係る蓋体２４４について、図４４Ａ〜図４４Ｇを用いて説明する。図４４Ａは実施例４４に係る蓋体２４４を示す斜視図である。図４４Ｂ〜図４４Ｇは、実施例４４に係る蓋体２４４を各軸方向から見た図である。
【０２４８】
ここで、各図において、相互に直交する座標軸であるＸＹＺ軸を付記する。なお、水平面に一致するＸＹ平面に蓋体２４４を配置した場合を基準とし、Ｚ軸は蓋体２４４の高さ方向に一致させている。
【０２４９】
詳細には、図４４Ｂは＋Ｘ方向から見た図であり、図４４Ｃは＋Ｙ方向から見た図であり、図４４Ｄは−Ｘ方向から見た図であり、図４４Ｅは−Ｙ方向から見た図であり、図４４Ｆは＋Ｚ方向から見た図であり、図４４Ｇは−Ｚ方向から見た図である。
【０２５０】
本実施例の蓋体２４４は、段差部２３の上面２３ａに、流出口３４４ａを有する円筒形状となる出口部３４４が構成されている。詳細には、出口部３４４は、実施例４２のベース部３４２ｂと同様に円筒形状となるベース部３４４ｂと、ベース部３４４ｂの先端部の外周面から外側に羽根状に突出し、ベース部３４４ｂの途中まで至る羽根部３４４ｃとで構成されている。羽根部３４４ｃは２つ形成されている。羽根部３４４ｃは、下方側がギザギザの形状又は鋸の刃形状に形成されている。その他の構成は実施例４２と同様に構成されている。
【０２５１】
実施例４４の出口部３４４を有する蓋体２４４、及び蓋体２４４を備えた液体収容容器１４４によっても、実施例１と同様の効果を奏することができる。
【０２５２】
＜実施例４５＞
実施例４５に係る蓋体２４５について、図４５Ａ〜図４５Ｇを用いて説明する。図４５Ａは実施例４５に係る蓋体２４５を示す斜視図である。図４５Ｂ〜図４５Ｇは、実施例４５に係る蓋体２４５を各軸方向から見た図である。
【０２５３】
ここで、各図において、相互に直交する座標軸であるＸＹＺ軸を付記する。なお、水平面に一致するＸＹ平面に蓋体２４５を配置した場合を基準とし、Ｚ軸は蓋体２４５の高さ方向に一致させている。
【０２５４】
詳細には、図４５Ｂは＋Ｘ方向から見た図であり、図４５Ｃは＋Ｙ方向から見た図であり、図４５Ｄは−Ｘ方向から見た図であり、図４５Ｅは−Ｙ方向から見た図であり、図４５Ｆは＋Ｚ方向から見た図であり、図４５Ｇは−Ｚ方向から見た図である。
【０２５５】
本実施例の蓋体２４５は、段差部２３の上面２３ａに、流出口３４５ａを有する矩形状の筒形状となる出口部３４５が構成されている。詳細には、出口部３４５は、矩形状の筒形状となるベース部３４５ｂと、ベース部３４５ｂの先端部の外周面から外側に羽根状に突出し、ベース部３４５ｂの途中まで至る羽根部３４５ｃとで構成されている。羽根部３４５ｃは２つ形成されている。羽根部３４５ｃは、下方側が直線でベース部３４５ｂにつながる三角形状に形成されている。その他の構成は実施例４２と同様に構成されている。
【０２５６】
実施例４５の出口部３４５を有する蓋体２４５、及び蓋体２４５を備えた液体収容容器１４５によっても、実施例１と同様の効果を奏することができる。
【０２５７】
＜実施例４６＞
実施例４６に係る蓋体２４６について、図４６Ａ〜図４６Ｇを用いて説明する。図４６Ａは実施例４６に係る蓋体２４６を示す斜視図である。図４６Ｂ〜図４６Ｇは、実施例４６に係る蓋体２４６を各軸方向から見た図である。
【０２５８】
ここで、各図において、相互に直交する座標軸であるＸＹＺ軸を付記する。なお、水平面に一致するＸＹ平面に蓋体２４６を配置した場合を基準とし、Ｚ軸は蓋体２４６の高さ方向に一致させている。
【０２５９】
詳細には、図４６Ｂは＋Ｘ方向から見た図であり、図４６Ｃは＋Ｙ方向から見た図であり、図４６Ｄは−Ｘ方向から見た図であり、図４６Ｅは−Ｙ方向から見た図であり、図４６Ｆは＋Ｚ方向から見た図であり、図４６Ｇは−Ｚ方向から見た図である。
【０２６０】
本実施例の蓋体２４６は、段差部２３の上面２３ａに、流出口３４６ａを有する矩形状の筒形状となる出口部３４６が構成されている。詳細には、出口部３４６は、実施例４５のベース部３４５ｂと同様に、矩形状の筒形状となるベース部３４６ｂと、ベース部３４６ｂの先端部の外周面から外側に羽根状に突出し、ベース部３４６ｂの途中まで至る羽根部３４６ｃとで構成されている。羽根部３４６ｃは２つ形成されている。羽根部３４６ｃは、下方側がＲ形状に形成されている。その他の構成は実施例４５と同様に構成されている。
【０２６１】
実施例４６の出口部３４６を有する蓋体２４６、及び蓋体２４６を備えた液体収容容器１４６によっても、実施例１と同様の効果を奏することができる。
【０２６２】
＜実施例４７＞
実施例４７に係る蓋体２４７について、図４７Ａ〜図４７Ｇを用いて説明する。図４７Ａは実施例４７に係る蓋体２４７を示す斜視図である。図４７Ｂ〜図４７Ｇは、実施例４７に係る蓋体２４７を各軸方向から見た図である。
【０２６３】
ここで、各図において、相互に直交する座標軸であるＸＹＺ軸を付記する。なお、水平面に一致するＸＹ平面に蓋体２４７を配置した場合を基準とし、Ｚ軸は蓋体２４７の高さ方向に一致させている。
【０２６４】
詳細には、図４７Ｂは＋Ｘ方向から見た図であり、図４７Ｃは＋Ｙ方向から見た図であり、図４７Ｄは−Ｘ方向から見た図であり、図４７Ｅは−Ｙ方向から見た図であり、図４７Ｆは＋Ｚ方向から見た図であり、図４７Ｇは−Ｚ方向から見た図である。
【０２６５】
本実施例の蓋体２４７は、段差部２３の上面２３ａに、流出口３４７ａを有する円筒形状となる出口部３４７が構成されている。詳細には、出口部３４７は、円筒形状となるベース部３４７ｂと、ベース部３４２ｂの先端部から上面２３ａにかけての外周面から外側に突出する突出部３４７ｃとで構成されている。なお、突出部３４７ｃは１つ形成されている。その他の構成は実施例１の構成と同様である。
【０２６６】
実施例４７の出口部３４７を有する蓋体２４７、及び蓋体２４７を備えた液体収容容器１４７によっても、実施例１と同様の効果を奏することができる。
【０２６７】
＜実施例４８＞
実施例４８に係る蓋体２４８について、図４８Ａ〜図４８Ｇを用いて説明する。図４８Ａは実施例４８に係る蓋体２４８を示す斜視図である。図４８Ｂ〜図４８Ｇは、実施例４８に係る蓋体２４８を各軸方向から見た図である。
【０２６８】
ここで、各図において、相互に直交する座標軸であるＸＹＺ軸を付記する。なお、水平面に一致するＸＹ平面に蓋体２４８を配置した場合を基準とし、Ｚ軸は蓋体２４８の高さ方向に一致させている。
【０２６９】
詳細には、図４８Ｂは＋Ｘ方向から見た図であり、図４８Ｃは＋Ｙ方向から見た図であり、図４８Ｄは−Ｘ方向から見た図であり、図４８Ｅは−Ｙ方向から見た図であり、図４８Ｆは＋Ｚ方向から見た図であり、図４８Ｇは−Ｚ方向から見た図である。
【０２７０】
本実施例の蓋体２４８は、段差部２３の上面２３ａに、流出口３４８ａを有する円筒形状となる出口部３４８が構成されている。詳細には、出口部３４８は、実施例４７の出口部３４７と同様に、円筒形状となるベース部３４８ｂと、実施例４７の突出部３４７ｃと同様に、ベース部３４８ｂの先端部から上面２３ａにかけての外周面から外側に突出する突出部３４８ｃとで構成されている。なお、突出部３４８ｃは２つ形成されている。その他の構成は実施例４７と同様に構成されている。
【０２７１】
実施例４８の出口部３４８を有する蓋体２４８、及び蓋体２４８を備えた液体収容容器１４８によっても、実施例１と同様の効果を奏することができる。
【０２７２】
＜実施例４９＞
実施例４９に係る蓋体２４９について、図４９Ａ〜図４９Ｇを用いて説明する。図４９Ａは実施例４９に係る蓋体２４９を示す斜視図である。図４９Ｂ〜図４９Ｇは、実施例４９に係る蓋体２４９を各軸方向から見た図である。
【０２７３】
ここで、各図において、相互に直交する座標軸であるＸＹＺ軸を付記する。なお、水平面に一致するＸＹ平面に蓋体２４９を配置した場合を基準とし、Ｚ軸は蓋体２４９の高さ方向に一致させている。
【０２７４】
詳細には、図４９Ｂは＋Ｘ方向から見た図であり、図４９Ｃは＋Ｙ方向から見た図であり、図４９Ｄは−Ｘ方向から見た図であり、図４９Ｅは−Ｙ方向から見た図であり、図４９Ｆは＋Ｚ方向から見た図であり、図４９Ｇは−Ｚ方向から見た図である。
【０２７５】
本実施例の蓋体２４９は、段差部２３の上面２３ａに、Ｔ字状で上方向に突出する出口部３４９が構成されている。そして、出口部３４９には、Ｔ字状の中心部に、貫通する流出口３４９ａが形成されている。その他の構成は実施例１の構成と同様である。
【０２７６】
実施例４９の出口部３４９を有する蓋体２４９、及び蓋体２４９を備えた液体収容容器１４９によっても、実施例１と同様の効果を奏することができる。
【０２７７】
＜実施例５０＞
実施例５０に係る蓋体２５０について、図５０Ａ〜図５０Ｇを用いて説明する。図５０Ａは実施例５０に係る蓋体２５０を示す斜視図である。図５０Ｂ〜図５０Ｇは、実施例５０に係る蓋体２５０を各軸方向から見た図である。
【０２７８】
ここで、各図において、相互に直交する座標軸であるＸＹＺ軸を付記する。なお、水平面に一致するＸＹ平面に蓋体２５０を配置した場合を基準とし、Ｚ軸は蓋体２５０の高さ方向に一致させている。
【０２７９】
詳細には、図５０Ｂは＋Ｘ方向から見た図であり、図５０Ｃは＋Ｙ方向から見た図であり、図５０Ｄは−Ｘ方向から見た図であり、図５０Ｅは−Ｙ方向から見た図であり、図５０Ｆは＋Ｚ方向から見た図であり、図５０Ｇは−Ｚ方向から見た図である。
【０２８０】
本実施例の蓋体２５０は、段差部２３の上面２３ａに、実施例４９の出口部３４９と同様に、Ｔ字状で上方向に突出する出口部３５０が構成されている。そして、出口部３５０には、実施例４９の流出口３４９ａと同様に、Ｔ字状の中心部に、貫通する流出口３５０ａが形成されている。なお、出口部３５０は、実施例４９の出口部３４９に比べて上方向に長く形成されている。その他の構成は実施例４９と同様に構成されている。
【０２８１】
実施例５０の出口部３５０を有する蓋体２５０、及び蓋体２５０を備えた液体収容容器１５０によっても、実施例１と同様の効果を奏することができる。
【０２８２】
＜実施例５１＞
実施例５１に係る蓋体２５１について、図５１Ａ〜図５１Ｇを用いて説明する。図５１Ａは実施例５１に係る蓋体２５１を示す斜視図である。図５１Ｂ〜図５１Ｇは、実施例５１に係る蓋体２５１を各軸方向から見た図である。
【０２８３】
ここで、各図において、相互に直交する座標軸であるＸＹＺ軸を付記する。なお、水平面に一致するＸＹ平面に蓋体２５１を配置した場合を基準とし、Ｚ軸は蓋体２５１の高さ方向に一致させている。
【０２８４】
詳細には、図５１Ｂは＋Ｘ方向から見た図であり、図５１Ｃは＋Ｙ方向から見た図であり、図５１Ｄは−Ｘ方向から見た図であり、図５１Ｅは−Ｙ方向から見た図であり、図５１Ｆは＋Ｚ方向から見た図であり、図５１Ｇは−Ｚ方向から見た図である。
【０２８５】
本実施例の蓋体２５１は、段差部２３の上面２３ａに、Ｔ字状で上方向に突出する出口部３５１が構成されている。そして、出口部３５１には、Ｔ字状の中心部に、貫通する流出口３５１ａが形成されている。また、出口部３５１の先端部のＴ字状の各端部（角部）には、直線形状で面取りされて傾斜する傾斜面部３５１ｂが形成されている。傾斜面部３５１ｂは３つ形成されている。その他の構成は実施例１の構成と同様である。
【０２８６】
実施例５１の出口部３５１を有する蓋体２５１、及び蓋体２５１を備えた液体収容容器１５１によっても、実施例１と同様の効果を奏することができる。
【０２８７】
＜実施例５２＞
実施例５２に係る蓋体２５２について、図５２Ａ〜図５２Ｇを用いて説明する。図５２Ａは実施例５２に係る蓋体２５２を示す斜視図である。図５２Ｂ〜図５２Ｇは、実施例５２に係る蓋体２５２を各軸方向から見た図である。
【０２８８】
ここで、各図において、相互に直交する座標軸であるＸＹＺ軸を付記する。なお、水平面に一致するＸＹ平面に蓋体２５２を配置した場合を基準とし、Ｚ軸は蓋体２５２の高さ方向に一致させている。
【０２８９】
詳細には、図５２Ｂは＋Ｘ方向から見た図であり、図５２Ｃは＋Ｙ方向から見た図であり、図５２Ｄは−Ｘ方向から見た図であり、図５２Ｅは−Ｙ方向から見た図であり、図５２Ｆは＋Ｚ方向から見た図であり、図５２Ｇは−Ｚ方向から見た図である。
【０２９０】
本実施例の蓋体２５２は、段差部２３の上面２３ａに、実施例５１の出口部３５１と同様に、Ｔ字状で上方向に突出する出口部３５２が構成されている。そして、出口部３５２には、実施例５１の流出口３５１ａと同様に、Ｔ字状の中心部に、貫通する流出口３５２ａが形成されている。また、出口部３５２の先端部のＴ字状の各端部（角部）には、実施例５１の傾斜面部３５１ｂと同様に、直線形状に面取りされて傾斜する傾斜面部３５２ｂが形成されている。なお、出口部３５２は、実施例５１の出口部３５１に比べて上方向に長く形成されている。その他の構成は実施例５１と同様に構成されている。
【０２９１】
実施例５２の出口部３５２を有する蓋体２５２、及び蓋体２５２を備えた液体収容容器１５２によっても、実施例１と同様の効果を奏することができる。
【０２９２】
＜実施例５３＞
実施例５３に係る蓋体２５３について、図５３Ａ〜図５３Ｇを用いて説明する。図５３Ａは実施例５３に係る蓋体２５３を示す斜視図である。図５３Ｂ〜図５３Ｇは、実施例５３に係る蓋体２５３を各軸方向から見た図である。
【０２９３】
ここで、各図において、相互に直交する座標軸であるＸＹＺ軸を付記する。なお、水平面に一致するＸＹ平面に蓋体２５３を配置した場合を基準とし、Ｚ軸は蓋体２５３の高さ方向に一致させている。
【０２９４】
詳細には、図５３Ｂは＋Ｘ方向から見た図であり、図５３Ｃは＋Ｙ方向から見た図であり、図５３Ｄは−Ｘ方向から見た図であり、図５３Ｅは−Ｙ方向から見た図であり、図５３Ｆは＋Ｚ方向から見た図であり、図５３Ｇは−Ｚ方向から見た図である。
【０２９５】
本実施例の蓋体２５３は、段差部２３の上面２３ａに、Ｔ字状で上方向に突出する出口部３５３が構成されている。そして、出口部３５３には、Ｔ字状の中心部に、貫通する流出口３５３ａが形成されている。また、出口部３５３の先端部のＴ字状の各端部（角部）には、Ｒ形状に面取りされる曲面部３５３ｂが形成されている。曲面部３５３ｂは３つ形成されている。その他の構成は実施例１の構成と同様である。
【０２９６】
実施例５３の出口部３５３を有する蓋体２５３、及び蓋体２５３を備えた液体収容容器１５３によっても、実施例１と同様の効果を奏することができる。
【０２９７】
＜実施例５４＞
実施例５４に係る蓋体２５４について、図５４Ａ〜図５４Ｇを用いて説明する。図５４Ａは実施例５４に係る蓋体２５４を示す斜視図である。図５４Ｂ〜図５４Ｇは、実施例５４に係る蓋体２５４を各軸方向から見た図である。
【０２９８】
ここで、各図において、相互に直交する座標軸であるＸＹＺ軸を付記する。なお、水平面に一致するＸＹ平面に蓋体２５４を配置した場合を基準とし、Ｚ軸は蓋体２５４の高さ方向に一致させている。
【０２９９】
詳細には、図５４Ｂは＋Ｘ方向から見た図であり、図５４Ｃは＋Ｙ方向から見た図であり、図５４Ｄは−Ｘ方向から見た図であり、図５４Ｅは−Ｙ方向から見た図であり、図５４Ｆは＋Ｚ方向から見た図であり、図５４Ｇは−Ｚ方向から見た図である。
【０３００】
本実施例の蓋体２５４は、段差部２３の上面２３ａに、実施例５３の出口部３５３と同様に、Ｔ字状で上方向に突出する出口部３５４が構成されている。そして、出口部３５４には、実施例５３の流出口３５３ａと同様に、Ｔ字状の中心部に、貫通する流出口３５４ａが形成されている。また、出口部３５４の先端部のＴ字状の各端部（角部）には、実施例５３の曲面部３５３ｂと同様に、Ｒ形状に面取りされる曲面部３５４ｂが形成されている。なお、出口部３５４は、実施例５３の出口部３５３に比べて上方向に長く形成されている。その他の構成は実施例５３と同様に構成されている。
【０３０１】
実施例５４の出口部３５４を有する蓋体２５４、及び蓋体２５４を備えた液体収容容器１５４によっても、実施例１と同様の効果を奏することができる。
【０３０２】
＜実施例５５＞
実施例５５に係る蓋体２５５について、図５５Ａ〜図５５Ｇを用いて説明する。図５５Ａは実施例５５に係る蓋体２５５を示す斜視図である。図５５Ｂ〜図５５Ｇは、実施例５５に係る蓋体２５５を各軸方向から見た図である。
【０３０３】
ここで、各図において、相互に直交する座標軸であるＸＹＺ軸を付記する。なお、水平面に一致するＸＹ平面に蓋体２５５を配置した場合を基準とし、Ｚ軸は蓋体２５５の高さ方向に一致させている。
【０３０４】
詳細には、図５５Ｂは＋Ｘ方向から見た図であり、図５５Ｃは＋Ｙ方向から見た図であり、図５５Ｄは−Ｘ方向から見た図であり、図５５Ｅは−Ｙ方向から見た図であり、図５５Ｆは＋Ｚ方向から見た図であり、図５５Ｇは−Ｚ方向から見た図である。
【０３０５】
本実施例の蓋体２５５は、段差部２３の上面２３ａに、流出口３５５ａを有する円筒形状となる出口部３５５が構成されている。詳細には、出口部３５５は、円筒形状となるベース部３５５ｂと、ベース部３５５ｂの先端部から上面２３ａにかけての外周面から外側に突出する突出部３５５ｃとで構成されている。なお、突出部３５５ｃは３つ形成されている。その他の構成は実施例１の構成と同様である。
【０３０６】
実施例５５の出口部３５５を有する蓋体２５５、及び蓋体２５５を備えた液体収容容器１５５によっても、実施例１と同様の効果を奏することができる。
【０３０７】
＜実施例５６＞
実施例５６に係る蓋体２５６について、図５６Ａ〜図５６Ｇを用いて説明する。図５６Ａは実施例５６に係る蓋体２５６を示す斜視図である。図５６Ｂ〜図５６Ｇは、実施例５６に係る蓋体２５６を各軸方向から見た図である。
【０３０８】
ここで、各図において、相互に直交する座標軸であるＸＹＺ軸を付記する。なお、水平面に一致するＸＹ平面に蓋体２５６を配置した場合を基準とし、Ｚ軸は蓋体２５６の高さ方向に一致させている。
【０３０９】
詳細には、図５６Ｂは＋Ｘ方向から見た図であり、図５６Ｃは＋Ｙ方向から見た図であり、図５６Ｄは−Ｘ方向から見た図であり、図５６Ｅは−Ｙ方向から見た図であり、図５６Ｆは＋Ｚ方向から見た図であり、図５６Ｇは−Ｚ方向から見た図である。
【０３１０】
本実施例の蓋体２５６は、段差部２３の上面２３ａに出口部３５６が構成されている。詳細には、出口部３５６は、上面２３ａから上方向に突出する円柱形状となるベース部３５６ｂと、ベース部３５６ｂの先端に至るまでの途中からベース部３５６ｂの側面外側に突出する円筒形状の突出部３５６ｃとで構成されている。なお、流出口３５６ａは、上面２３ａからベース部３５６ｂの中を通り突出部３５６ｃを貫通するように形成されている。その他の構成は実施例１の構成と同様である。
【０３１１】
実施例５６の出口部３５６を有する蓋体２５６、及び蓋体２５６を備えた液体収容容器１５６によっても、実施例１と同様の効果を奏することができる。
【０３１２】
＜実施例５７＞
実施例５７に係る蓋体２５７について、図５７Ａ〜図５７Ｇを用いて説明する。図５７Ａは実施例５７に係る蓋体２５７を示す斜視図である。図５７Ｂ〜図５７Ｇは、実施例５７に係る蓋体２５７を各軸方向から見た図である。
【０３１３】
ここで、各図において、相互に直交する座標軸であるＸＹＺ軸を付記する。なお、水平面に一致するＸＹ平面に蓋体２５７を配置した場合を基準とし、Ｚ軸は蓋体２５７の高さ方向に一致させている。
【０３１４】
詳細には、図５７Ｂは＋Ｘ方向から見た図であり、図５７Ｃは＋Ｙ方向から見た図であり、図５７Ｄは−Ｘ方向から見た図であり、図５７Ｅは−Ｙ方向から見た図であり、図５７Ｆは＋Ｚ方向から見た図であり、図５７Ｇは−Ｚ方向から見た図である。
【０３１５】
本実施例の蓋体２５７は、段差部２３の上面２３ａに、実施例５６の出口部３５６と略同様に構成される出口部３５７が構成されている。詳細には、出口部３５７は、上面２３ａから上方向に突出する円柱形状となるベース部３５７ｂと、ベース部３５７ｂの先端に至るまでの途中からベース部３５７ｂの側面外側に突出する円筒形状の突出部３５７ｃとで構成されている。なお、流出口３５７ａは、上面２３ａからベース部３５７ｂの中を通り突出部３５７ｃを貫通するように形成されている。実施例５６と異なるのは、突出部３５７ｃがベース部３５７ｂの側面外側で斜め方向に突出していることである。その他の構成は実施例５６の構成と同様である。
【０３１６】
実施例５７の出口部３５７を有する蓋体２５７、及び蓋体２５７を備えた液体収容容器１５７によっても、実施例１と同様の効果を奏することができる。
【０３１７】
＜実施例５８＞
実施例５８に係る蓋体２５８について、図５８Ａ〜図５８Ｇを用いて説明する。図５８Ａは実施例５８に係る蓋体２５８を示す斜視図である。図５８Ｂ〜図５８Ｇは、実施例５８に係る蓋体２５８を各軸方向から見た図である。
【０３１８】
ここで、各図において、相互に直交する座標軸であるＸＹＺ軸を付記する。なお、水平面に一致するＸＹ平面に蓋体２５８を配置した場合を基準とし、Ｚ軸は蓋体２５８の高さ方向に一致させている。
【０３１９】
詳細には、図５８Ｂは＋Ｘ方向から見た図であり、図５８Ｃは＋Ｙ方向から見た図であり、図５８Ｄは−Ｘ方向から見た図であり、図５８Ｅは−Ｙ方向から見た図であり、図５８Ｆは＋Ｚ方向から見た図であり、図５８Ｇは−Ｚ方向から見た図である。
【０３２０】
本実施例の蓋体２５８は、段差部２３の上面２３ａに、実施例５７の出口部３５７と略同様に構成される出口部３５８が構成されている。詳細には、出口部３５８は、上面２３ａから上方向に突出する円柱形状となるベース部３５８ｂと、ベース部３５８ｂの先端に至るまでの途中からベース部３５８ｂの側面外側で斜め方向に突出する円筒形状の突出部３５８ｃとで構成されている。なお、流出口３５８ａは、上面２３ａからベース部３５８ｂの中を通り突出部３５８ｃを貫通するように形成されている。実施例５７と異なるのは、蓋体２５８は、ベース部３５８ｂの先端部に先が尖った突起部３５８ｄを備えていることである。本実施例では、円錐形状の突起部３５８ｄを備えている。その他の構成は実施例５７の構成と同様である。
【０３２１】
実施例５８の出口部３５８を有する蓋体２５８、及び蓋体２５８を備えた液体収容容器１５８によっても、実施例１と同様の効果を奏することができる。
【０３２２】
＜実施例５９＞
実施例５９に係る蓋体２５９について、図５９Ａ〜図５９Ｇを用いて説明する。図５９Ａは実施例５９に係る蓋体２５９を示す斜視図である。図５９Ｂ〜図５９Ｇは、実施例５９に係る蓋体２５９を各軸方向から見た図である。
【０３２３】
ここで、各図において、相互に直交する座標軸であるＸＹＺ軸を付記する。なお、水平面に一致するＸＹ平面に蓋体２５９を配置した場合を基準とし、Ｚ軸は蓋体２５９の高さ方向に一致させている。
【０３２４】
詳細には、図５９Ｂは＋Ｘ方向から見た図であり、図５９Ｃは＋Ｙ方向から見た図であり、図５９Ｄは−Ｘ方向から見た図であり、図５９Ｅは−Ｙ方向から見た図であり、図５９Ｆは＋Ｚ方向から見た図であり、図５９Ｇは−Ｚ方向から見た図である。
【０３２５】
本実施例の蓋体２５９は、段差部２３の上面２３ａに、実施例５７の出口部３５７と略同様に構成される出口部３５９が構成されている。詳細には、出口部３５９は、上面２３ａから上方向に突出する円柱形状となるベース部３５９ｂと、ベース部３５９ｂの先端に至るまでの途中からベース部３５９ｂの側面外側で斜め方向に突出する突出部３５９ｃとで構成されている。なお、流出口３５９ａは、上面２３ａからベース部３５９ｂの中を通り突出部３５９ｃを貫通するように形成されている。実施例５７と異なるのは、蓋体２５９は、突出部３５９ｃが矩形状の筒形状に構成されていることである。その他の構成は実施例５７の構成と同様である。
【０３２６】
実施例５９の出口部３５９を有する蓋体２５９、及び蓋体２５９を備えた液体収容容器１５９によっても、実施例１と同様の効果を奏することができる。
【０３２７】
＜実施例６０＞
実施例６０に係る蓋体２６０について、図６０Ａ〜図６０Ｇを用いて説明する。図６０Ａは実施例６０に係る蓋体２６０を示す斜視図である。図６０Ｂ〜図６０Ｇは、実施例６０に係る蓋体２６０を各軸方向から見た図である。
【０３２８】
ここで、各図において、相互に直交する座標軸であるＸＹＺ軸を付記する。なお、水平面に一致するＸＹ平面に蓋体２６０を配置した場合を基準とし、Ｚ軸は蓋体２６０の高さ方向に一致させている。
【０３２９】
詳細には、図６０Ｂは＋Ｘ方向から見た図であり、図６０Ｃは＋Ｙ方向から見た図であり、図６０Ｄは−Ｘ方向から見た図であり、図６０Ｅは−Ｙ方向から見た図であり、図６０Ｆは＋Ｚ方向から見た図であり、図６０Ｇは−Ｚ方向から見た図である。
【０３３０】
本実施例の蓋体２６０は、段差部２３の上面２３ａに出口部３６０が構成されている。詳細には、出口部３６０は、上面２３ａから上方向に突出する円筒形状となる円筒部３６０ｄと、円筒部３６０ｄの外形よりも太い径で形成される円柱形状のベース部３６０ｂと、ベース部３６０ｂの側面外側に突出する円筒形状の突出部３６０ｃとで構成されている。また、突出部３６０ｃは弾性部材で構成されている。なお、流出口３６０ａは、上面２３ａから円筒部３６０ｄおよびベース部３６０ｂの中を通り突出部３６０ｃを貫通するように形成されている。なお、実施例５６と異なるのは、上述した円筒部３６０ｄを設けたことと、突出部３６０ｃが実施例５６の突出部３５６ｃに比べて径が細く、また長く形成されていることである。その他の構成は実施例５６の構成と同様である。
【０３３１】
実施例６０の出口部３６０を有する蓋体２６０、及び蓋体２６０を備えた液体収容容器１６０によっても、実施例１と同様の効果を奏することができる。
【符号の説明】
【０３３２】
１…プリンター、１３…オーバーキャップ、１５，１５Ａ，１５Ｂ…容器、１７…容器口部、１００〜１６０…液体収容容器、２００〜２６０…蓋体、３００〜３６０…出口部。
【図１Ａ】
2019112084.tif 000003
【図１Ｂ】
2019112084.tif 000004
【図１Ｃ】
2019112084.tif 000005
【図１Ｄ】
2019112084.tif 000006
【図１Ｅ】
2019112084.tif 000007
【図１Ｆ】
2019112084.tif 000008
【図１Ｇ】
2019112084.tif 000009
【図１Ｈ】
2019112084.tif 000010
【図１Ｉ】
2019112084.tif 000011
【図１Ｊ】
2019112084.tif 000012
【図１Ｋ】
2019112084.tif 000013
【図１Ｌ】
2019112084.tif 000014
【図１Ｍ】
2019112084.tif 000015
【図２Ａ】
2019112084.tif 000016
【図２Ｂ】
2019112084.tif 000017
【図２Ｃ】
2019112084.tif 000018
【図２Ｄ】
2019112084.tif 000019
【図２Ｅ】
2019112084.tif 000020
【図２Ｆ】
2019112084.tif 000021
【図２Ｇ】
2019112084.tif 000022
【図３Ａ】
2019112084.tif 000023
【図３Ｂ】
2019112084.tif 000024
【図３Ｃ】
2019112084.tif 000025
【図３Ｄ】
2019112084.tif 000026
【図３Ｅ】
2019112084.tif 000027
【図３Ｆ】
2019112084.tif 000028
【図３Ｇ】
2019112084.tif 000029
【図４Ａ】
2019112084.tif 000030
【図４Ｂ】
2019112084.tif 000031
【図４Ｃ】
2019112084.tif 000032
【図４Ｄ】
2019112084.tif 000033
【図４Ｅ】
2019112084.tif 000034
【図４Ｆ】
2019112084.tif 000035
【図４Ｇ】
2019112084.tif 000036
【図５Ａ】
2019112084.tif 000037
【図５Ｂ】
2019112084.tif 000038
【図５Ｃ】
2019112084.tif 000039
【図５Ｄ】
2019112084.tif 000040
【図５Ｅ】
2019112084.tif 000041
【図５Ｆ】
2019112084.tif 000042
【図５Ｇ】
2019112084.tif 000043
【図６Ａ】
2019112084.tif 000044
【図６Ｂ】
2019112084.tif 000045
【図６Ｃ】
2019112084.tif 000046
【図６Ｄ】
2019112084.tif 000047
【図６Ｅ】
2019112084.tif 000048
【図６Ｆ】
2019112084.tif 000049
【図６Ｇ】
2019112084.tif 000050
【図７Ａ】
2019112084.tif 000051
【図７Ｂ】
2019112084.tif 000052
【図７Ｃ】
2019112084.tif 000053
【図７Ｄ】
2019112084.tif 000054
【図７Ｅ】
2019112084.tif 000055
【図７Ｆ】
2019112084.tif 000056
【図７Ｇ】
2019112084.tif 000057
【図８Ａ】
2019112084.tif 000058
【図８Ｂ】
2019112084.tif 000059
【図８Ｃ】
2019112084.tif 000060
【図８Ｄ】
2019112084.tif 000061
【図８Ｅ】
2019112084.tif 000062
【図８Ｆ】
2019112084.tif 000063
【図８Ｇ】
2019112084.tif 000064
【図９Ａ】
2019112084.tif 000065
【図９Ｂ】
2019112084.tif 000066
【図９Ｃ】
2019112084.tif 000067
【図９Ｄ】
2019112084.tif 000068
【図９Ｅ】
2019112084.tif 000069
【図９Ｆ】
2019112084.tif 000070
【図９Ｇ】
2019112084.tif 000071
【図１０Ａ】
2019112084.tif 000072
【図１０Ｂ】
2019112084.tif 000073
【図１０Ｃ】
2019112084.tif 000074
【図１０Ｄ】
2019112084.tif 000075
【図１０Ｅ】
2019112084.tif 000076
【図１０Ｆ】
2019112084.tif 000077
【図１０Ｇ】
2019112084.tif 000078
【図１１Ａ】
2019112084.tif 000079
【図１１Ｂ】
2019112084.tif 000080
【図１１Ｃ】
2019112084.tif 000081
【図１１Ｄ】
2019112084.tif 000082
【図１１Ｅ】
2019112084.tif 000083
【図１１Ｆ】
2019112084.tif 000084
【図１１Ｇ】
2019112084.tif 000085
【図１２Ａ】
2019112084.tif 000086
【図１２Ｂ】
2019112084.tif 000087
【図１２Ｃ】
2019112084.tif 000088
【図１２Ｄ】
2019112084.tif 000089
【図１２Ｅ】
2019112084.tif 000090
【図１２Ｆ】
2019112084.tif 000091
【図１２Ｇ】
2019112084.tif 000092
【図１３Ａ】
2019112084.tif 000093
【図１３Ｂ】
2019112084.tif 000094
【図１３Ｃ】
2019112084.tif 000095
【図１３Ｄ】
2019112084.tif 000096
【図１３Ｅ】
2019112084.tif 000097
【図１３Ｆ】
2019112084.tif 000098
【図１３Ｇ】
2019112084.tif 000099
【図１４Ａ】
2019112084.tif 000100
【図１４Ｂ】
2019112084.tif 000101
【図１４Ｃ】
2019112084.tif 000102
【図１４Ｄ】
2019112084.tif 000103
【図１４Ｅ】
2019112084.tif 000104
【図１４Ｆ】
2019112084.tif 000105
【図１４Ｇ】
2019112084.tif 000106
【図１５Ａ】
2019112084.tif 000107
【図１５Ｂ】
2019112084.tif 000108
【図１５Ｃ】
2019112084.tif 000109
【図１５Ｄ】
2019112084.tif 000110
【図１５Ｅ】
2019112084.tif 000111
【図１５Ｆ】
2019112084.tif 000112
【図１５Ｇ】
2019112084.tif 000113
【図１６Ａ】
2019112084.tif 000114
【図１６Ｂ】
2019112084.tif 000115
【図１６Ｃ】
2019112084.tif 000116
【図１６Ｄ】
2019112084.tif 000117
【図１６Ｅ】
2019112084.tif 000118
【図１６Ｆ】
2019112084.tif 000119
【図１６Ｇ】
2019112084.tif 000120
【図１７Ａ】
2019112084.tif 000121
【図１７Ｂ】
2019112084.tif 000122
【図１７Ｃ】
2019112084.tif 000123
【図１７Ｄ】
2019112084.tif 000124
【図１７Ｅ】
2019112084.tif 000125
【図１７Ｆ】
2019112084.tif 000126
【図１７Ｇ】
2019112084.tif 000127
【図１８Ａ】
2019112084.tif 000128
【図１８Ｂ】
2019112084.tif 000129
【図１８Ｃ】
2019112084.tif 000130
【図１８Ｄ】
2019112084.tif 000131
【図１８Ｅ】
2019112084.tif 000132
【図１８Ｆ】
2019112084.tif 000133
【図１８Ｇ】
2019112084.tif 000134
【図１９Ａ】
2019112084.tif 000135
【図１９Ｂ】
2019112084.tif 000136
【図１９Ｃ】
2019112084.tif 000137
【図１９Ｄ】
2019112084.tif 000138
【図１９Ｅ】
2019112084.tif 000139
【図１９Ｆ】
2019112084.tif 000140
【図１９Ｇ】
2019112084.tif 000141
【図２０Ａ】
2019112084.tif 000142
【図２０Ｂ】
2019112084.tif 000143
【図２０Ｃ】
2019112084.tif 000144
【図２０Ｄ】
2019112084.tif 000145
【図２０Ｅ】
2019112084.tif 000146
【図２０Ｆ】
2019112084.tif 000147
【図２０Ｇ】
2019112084.tif 000148
【図２１Ａ】
2019112084.tif 000149
【図２１Ｂ】
2019112084.tif 000150
【図２１Ｃ】
2019112084.tif 000151
【図２１Ｄ】
2019112084.tif 000152
【図２１Ｅ】
2019112084.tif 000153
【図２１Ｆ】
2019112084.tif 000154
【図２１Ｇ】
2019112084.tif 000155
【図２２Ａ】
2019112084.tif 000156
【図２２Ｂ】
2019112084.tif 000157
【図２２Ｃ】
2019112084.tif 000158
【図２２Ｄ】
2019112084.tif 000159
【図２２Ｅ】
2019112084.tif 000160
【図２２Ｆ】
2019112084.tif 000161
【図２２Ｇ】
2019112084.tif 000162
【図２３Ａ】
2019112084.tif 000163
【図２３Ｂ】
2019112084.tif 000164
【図２３Ｃ】
2019112084.tif 000165
【図２３Ｄ】
2019112084.tif 000166
【図２３Ｅ】
2019112084.tif 000167
【図２３Ｆ】
2019112084.tif 000168
【図２３Ｇ】
2019112084.tif 000169
【図２４Ａ】
2019112084.tif 000170
【図２４Ｂ】
2019112084.tif 000171
【図２４Ｃ】
2019112084.tif 000172
【図２４Ｄ】
2019112084.tif 000173
【図２４Ｅ】
2019112084.tif 000174
【図２４Ｆ】
2019112084.tif 000175
【図２４Ｇ】
2019112084.tif 000176
【図２５Ａ】
2019112084.tif 000177
【図２５Ｂ】
2019112084.tif 000178
【図２５Ｃ】
2019112084.tif 000179
【図２５Ｄ】
2019112084.tif 000180
【図２５Ｅ】
2019112084.tif 000181
【図２５Ｆ】
2019112084.tif 000182
【図２５Ｇ】
2019112084.tif 000183
【図２６Ａ】
2019112084.tif 000184
【図２６Ｂ】
2019112084.tif 000185
【図２６Ｃ】
2019112084.tif 000186
【図２６Ｄ】
2019112084.tif 000187
【図２６Ｅ】
2019112084.tif 000188
【図２６Ｆ】
2019112084.tif 000189
【図２６Ｇ】
2019112084.tif 000190
【図２７Ａ】
2019112084.tif 000191
【図２７Ｂ】
2019112084.tif 000192
【図２７Ｃ】
2019112084.tif 000193
【図２７Ｄ】
2019112084.tif 000194
【図２７Ｅ】
2019112084.tif 000195
【図２７Ｆ】
2019112084.tif 000196
【図２７Ｇ】
2019112084.tif 000197
【図２８Ａ】
2019112084.tif 000198
【図２８Ｂ】
2019112084.tif 000199
【図２８Ｃ】
2019112084.tif 000200
【図２８Ｄ】
2019112084.tif 000201
【図２８Ｅ】
2019112084.tif 000202
【図２８Ｆ】
2019112084.tif 000203
【図２８Ｇ】
2019112084.tif 000204
【図２９Ａ】
2019112084.tif 000205
【図２９Ｂ】
2019112084.tif 000206
【図２９Ｃ】
2019112084.tif 000207
【図２９Ｄ】
2019112084.tif 000208
【図２９Ｅ】
2019112084.tif 000209
【図２９Ｆ】
2019112084.tif 000210
【図２９Ｇ】
2019112084.tif 000211
【図３０Ａ】
2019112084.tif 000212
【図３０Ｂ】
2019112084.tif 000213
【図３０Ｃ】
2019112084.tif 000214
【図３０Ｄ】
2019112084.tif 000215
【図３０Ｅ】
2019112084.tif 000216
【図３０Ｆ】
2019112084.tif 000217
【図３０Ｇ】
2019112084.tif 000218
【図３１Ａ】
2019112084.tif 000219
【図３１Ｂ】
2019112084.tif 000220
【図３１Ｃ】
2019112084.tif 000221
【図３１Ｄ】
2019112084.tif 000222
【図３１Ｅ】
2019112084.tif 000223
【図３１Ｆ】
2019112084.tif 000224
【図３１Ｇ】
2019112084.tif 000225
【図３２Ａ】
2019112084.tif 000226
【図３２Ｂ】
2019112084.tif 000227
【図３２Ｃ】
2019112084.tif 000228
【図３２Ｄ】
2019112084.tif 000229
【図３２Ｅ】
2019112084.tif 000230
【図３２Ｆ】
2019112084.tif 000231
【図３２Ｇ】
2019112084.tif 000232
【図３３Ａ】
2019112084.tif 000233
【図３３Ｂ】
2019112084.tif 000234
【図３３Ｃ】
2019112084.tif 000235
【図３３Ｄ】
2019112084.tif 000236
【図３３Ｅ】
2019112084.tif 000237
【図３３Ｆ】
2019112084.tif 000238
【図３３Ｇ】
2019112084.tif 000239
【図３４Ａ】
2019112084.tif 000240
【図３４Ｂ】
2019112084.tif 000241
【図３４Ｃ】
2019112084.tif 000242
【図３４Ｄ】
2019112084.tif 000243
【図３４Ｅ】
2019112084.tif 000244
【図３４Ｆ】
2019112084.tif 000245
【図３４Ｇ】
2019112084.tif 000246
【図３５Ａ】
2019112084.tif 000247
【図３５Ｂ】
2019112084.tif 000248
【図３５Ｃ】
2019112084.tif 000249
【図３５Ｄ】
2019112084.tif 000250
【図３５Ｅ】
2019112084.tif 000251
【図３５Ｆ】
2019112084.tif 000252
【図３５Ｇ】
2019112084.tif 000253
【図３６Ａ】
2019112084.tif 000254
【図３６Ｂ】
2019112084.tif 000255
【図３６Ｃ】
2019112084.tif 000256
【図３６Ｄ】
2019112084.tif 000257
【図３６Ｅ】
2019112084.tif 000258
【図３６Ｆ】
2019112084.tif 000259
【図３６Ｇ】
2019112084.tif 000260
【図３７Ａ】
2019112084.tif 000261
【図３７Ｂ】
2019112084.tif 000262
【図３７Ｃ】
2019112084.tif 000263
【図３７Ｄ】
2019112084.tif 000264
【図３７Ｅ】
2019112084.tif 000265
【図３７Ｆ】
2019112084.tif 000266
【図３７Ｇ】
2019112084.tif 000267
【図３８Ａ】
2019112084.tif 000268
【図３８Ｂ】
2019112084.tif 000269
【図３８Ｃ】
2019112084.tif 000270
【図３８Ｄ】
2019112084.tif 000271
【図３８Ｅ】
2019112084.tif 000272
【図３８Ｆ】
2019112084.tif 000273
【図３８Ｇ】
2019112084.tif 000274
【図３９Ａ】
2019112084.tif 000275
【図３９Ｂ】
2019112084.tif 000276
【図３９Ｃ】
2019112084.tif 000277
【図３９Ｄ】
2019112084.tif 000278
【図３９Ｅ】
2019112084.tif 000279
【図３９Ｆ】
2019112084.tif 000280
【図３９Ｇ】
2019112084.tif 000281
【図４０Ａ】
2019112084.tif 000282
【図４０Ｂ】
2019112084.tif 000283
【図４０Ｃ】
2019112084.tif 000284
【図４０Ｄ】
2019112084.tif 000285
【図４０Ｅ】
2019112084.tif 000286
【図４０Ｆ】
2019112084.tif 000287
【図４０Ｇ】
2019112084.tif 000288
【図４１Ａ】
2019112084.tif 000289
【図４１Ｂ】
2019112084.tif 000290
【図４１Ｃ】
2019112084.tif 000291
【図４１Ｄ】
2019112084.tif 000292
【図４１Ｅ】
2019112084.tif 000293
【図４１Ｆ】
2019112084.tif 000294
【図４１Ｇ】
2019112084.tif 000295
【図４２Ａ】
2019112084.tif 000296
【図４２Ｂ】
2019112084.tif 000297
【図４２Ｃ】
2019112084.tif 000298
【図４２Ｄ】
2019112084.tif 000299
【図４２Ｅ】
2019112084.tif 000300
【図４２Ｆ】
2019112084.tif 000301
【図４２Ｇ】
2019112084.tif 000302
【図４３Ａ】
2019112084.tif 000303
【図４３Ｂ】
2019112084.tif 000304
【図４３Ｃ】
2019112084.tif 000305
【図４３Ｄ】
2019112084.tif 000306
【図４３Ｅ】
2019112084.tif 000307
【図４３Ｆ】
2019112084.tif 000308
【図４３Ｇ】
2019112084.tif 000309
【図４４Ａ】
2019112084.tif 000310
【図４４Ｂ】
2019112084.tif 000311
【図４４Ｃ】
2019112084.tif 000312
【図４４Ｄ】
2019112084.tif 000313
【図４４Ｅ】
2019112084.tif 000314
【図４４Ｆ】
2019112084.tif 000315
【図４４Ｇ】
2019112084.tif 000316
【図４５Ａ】
2019112084.tif 000317
【図４５Ｂ】
2019112084.tif 000318
【図４５Ｃ】
2019112084.tif 000319
【図４５Ｄ】
2019112084.tif 000320
【図４５Ｅ】
2019112084.tif 000321
【図４５Ｆ】
2019112084.tif 000322
【図４５Ｇ】
2019112084.tif 000323
【図４６Ａ】
2019112084.tif 000324
【図４６Ｂ】
2019112084.tif 000325
【図４６Ｃ】
2019112084.tif 000326
【図４６Ｄ】
2019112084.tif 000327
【図４６Ｅ】
2019112084.tif 000328
【図４６Ｆ】
2019112084.tif 000329
【図４６Ｇ】
2019112084.tif 000330
【図４７Ａ】
2019112084.tif 000331
【図４７Ｂ】
2019112084.tif 000332
【図４７Ｃ】
2019112084.tif 000333
【図４７Ｄ】
2019112084.tif 000334
【図４７Ｅ】
2019112084.tif 000335
【図４７Ｆ】
2019112084.tif 000336
【図４７Ｇ】
2019112084.tif 000337
【図４８Ａ】
2019112084.tif 000338
【図４８Ｂ】
2019112084.tif 000339
【図４８Ｃ】
2019112084.tif 000340
【図４８Ｄ】
2019112084.tif 000341
【図４８Ｅ】
2019112084.tif 000342
【図４８Ｆ】
2019112084.tif 000343
【図４８Ｇ】
2019112084.tif 000344
【図４９Ａ】
2019112084.tif 000345
【図４９Ｂ】
2019112084.tif 000346
【図４９Ｃ】
2019112084.tif 000347
【図４９Ｄ】
2019112084.tif 000348
【図４９Ｅ】
2019112084.tif 000349
【図４９Ｆ】
2019112084.tif 000350
【図４９Ｇ】
2019112084.tif 000351
【図５０Ａ】
2019112084.tif 000352
【図５０Ｂ】
2019112084.tif 000353
【図５０Ｃ】
2019112084.tif 000354
【図５０Ｄ】
2019112084.tif 000355
【図５０Ｅ】
2019112084.tif 000356
【図５０Ｆ】
2019112084.tif 000357
【図５０Ｇ】
2019112084.tif 000358
【図５１Ａ】
2019112084.tif 000359
【図５１Ｂ】
2019112084.tif 000360
【図５１Ｃ】
2019112084.tif 000361
【図５１Ｄ】
2019112084.tif 000362
【図５１Ｅ】
2019112084.tif 000363
【図５１Ｆ】
2019112084.tif 000364
【図５１Ｇ】
2019112084.tif 000365
【図５２Ａ】
2019112084.tif 000366
【図５２Ｂ】
2019112084.tif 000367
【図５２Ｃ】
2019112084.tif 000368
【図５２Ｄ】
2019112084.tif 000369
【図５２Ｅ】
2019112084.tif 000370
【図５２Ｆ】
2019112084.tif 000371
【図５２Ｇ】
2019112084.tif 000372
【図５３Ａ】
2019112084.tif 000373
【図５３Ｂ】
2019112084.tif 000374
【図５３Ｃ】
2019112084.tif 000375
【図５３Ｄ】
2019112084.tif 000376
【図５３Ｅ】
2019112084.tif 000377
【図５３Ｆ】
2019112084.tif 000378
【図５３Ｇ】
2019112084.tif 000379
【図５４Ａ】
2019112084.tif 000380
【図５４Ｂ】
2019112084.tif 000381
【図５４Ｃ】
2019112084.tif 000382
【図５４Ｄ】
2019112084.tif 000383
【図５４Ｅ】
2019112084.tif 000384
【図５４Ｆ】
2019112084.tif 000385
【図５４Ｇ】
2019112084.tif 000386
【図５５Ａ】
2019112084.tif 000387
【図５５Ｂ】
2019112084.tif 000388
【図５５Ｃ】
2019112084.tif 000389
【図５５Ｄ】
2019112084.tif 000390
【図５５Ｅ】
2019112084.tif 000391
【図５５Ｆ】
2019112084.tif 000392
【図５５Ｇ】
2019112084.tif 000393
【図５６Ａ】
2019112084.tif 000394
【図５６Ｂ】
2019112084.tif 000395
【図５６Ｃ】
2019112084.tif 000396
【図５６Ｄ】
2019112084.tif 000397
【図５６Ｅ】
2019112084.tif 000398
【図５６Ｆ】
2019112084.tif 000399
【図５６Ｇ】
2019112084.tif 000400
【図５７Ａ】
2019112084.tif 000401
【図５７Ｂ】
2019112084.tif 000402
【図５７Ｃ】
2019112084.tif 000403
【図５７Ｄ】
2019112084.tif 000404
【図５７Ｅ】
2019112084.tif 000405
【図５７Ｆ】
2019112084.tif 000406
【図５７Ｇ】
2019112084.tif 000407
【図５８Ａ】
2019112084.tif 000408
【図５８Ｂ】
2019112084.tif 000409
【図５８Ｃ】
2019112084.tif 000410
【図５８Ｄ】
2019112084.tif 000411
【図５８Ｅ】
2019112084.tif 000412
【図５８Ｆ】
2019112084.tif 000413
【図５８Ｇ】
2019112084.tif 000414
【図５９Ａ】
2019112084.tif 000415
【図５９Ｂ】
2019112084.tif 000416
【図５９Ｃ】
2019112084.tif 000417
【図５９Ｄ】
2019112084.tif 000418
【図５９Ｅ】
2019112084.tif 000419
【図５９Ｆ】
2019112084.tif 000420
【図５９Ｇ】
2019112084.tif 000421
【図６０Ａ】
2019112084.tif 000422
【図６０Ｂ】
2019112084.tif 000423
【図６０Ｃ】
2019112084.tif 000424
【図６０Ｄ】
2019112084.tif 000425
【図６０Ｅ】
2019112084.tif 000426
【図６０Ｆ】
2019112084.tif 000427
【図６０Ｇ】
2019112084.tif 000428